(57)【要約】【課題】本開示は、複数のセルの中からセルを選択または再選択するための方法に関する。【解決手段】本開示は、これらの方法を行うための移動局、およびここで説明された方法を移動局に行わせる命令を含むコンピュータ可読媒体を提供する。この目的のために、移動局は、標準カバレッジモードまたは拡張カバレッジモードの何れかを利用して、選択または再選択のための候補であるセル（すなわち候補セル）を検出している。さらに、移動局は、標準カバレッジモードまたは拡張カバレッジモードの何れかを利用して、検出された候補セルの中からセルを選択または再選択している。移動局は、候補セルの少なくとも１つが検出および選択または再選択が拡張カバレッジモードを利用することをサポートするか否かを示す保存情報に基づいて、検出、および選択または再選択を行っている。【選択図】図８
2019146271.tif 000002
【特許請求の範囲】
【請求項１】
少なくとも１つの無線アクセス技術（ＲＡＴ）に対応する複数のセルの中からセルを、移動局によって、選択または再選択する方法であって、前記移動局は、標準カバレッジモードおよび拡張カバレッジモードをサポートし、前記方法は、
前記複数のセルの中から、前記移動局による選択または再選択のための候補である候補セルを、前記移動局によって、検出するステップであって、前記候補セルは、前記複数のセルのうち、前記移動局によってその後の選択または再選択が成功する可能があるセルであり、前記検出ステップは、前記標準カバレッジモードまたは前記拡張カバレッジモードの何れかを利用する、ステップと、
前記検出ステップによって検出された前記候補セルの中からセルを、前記移動局によって、選択または再選択するステップであって、前記選択または再選択ステップは、前記標準カバレッジモードまたは前記拡張カバレッジモードの何れかを利用する、ステップと、
を含み、
前記標準カバレッジモードを利用する、前記検出ステップが、任意の候補セルを検出することに成功しない場合、または、
前記標準カバレッジモードを利用する、前記選択または再選択ステップが、前記標準カバレッジモードを利用する前記検出ステップによって検出された前記候補セルの中から前記セルを選択または再選択することに成功しない場合、
前記移動局は、前記拡張カバレッジモードを利用する前記検出ステップによって検出された前記候補セルの中から、前記拡張カバレッジモードを利用する前記選択または再選択ステップを行っており、
前記検出ステップおよび、前記選択または再選択ステップは、前記移動局によって、前記候補セルの少なくとも１つが前記検出ステップおよび前記選択または再選択ステップが前記拡張カバレッジモードを利用することをサポートするか否かを示す保存情報に基づいて行われ、
前記選択または再選択ステップが前記標準カバレッジモードを利用する場合、前記選択または再選択ステップは、第１の閾値に対するセル選択基準を、前記候補セルの各々について評価することによって行われ、
前記選択または再選択ステップが前記拡張カバレッジモードを利用する場合、前記選択または再選択ステップは、前記第１の閾値よりも低い第２の閾値に対する前記セル選択基準を、前記候補セルの各々について評価することによって行われる、
方法。
【請求項２】
前記拡張カバレッジモードを利用する場合、前記検出ステップおよび前記選択または再選択ステップは、前記標準カバレッジモードに対して、参照信号受信電力（ＲＳＲＰ）値が前記移動局で設定された電力閾値を下まわるセルに関して行われることになっている、
請求項１に記載の方法。
【請求項３】
前記拡張カバレッジモードを利用する場合、前記検出ステップは、
改善された受信感度で無線周波数（ＲＦ）チャネルを走査および識別するステップ、
拡張された平均化窓を用いて同期信号を検出するステップ、または、
システム情報の繰返し送信を受信および結合するステップ、
をさらに含み、
それによって、より低い信号電力対雑音比を補償する、
請求項１に記載の方法。
【請求項４】
前記検出ステップは、
前記標準カバレッジモードまたは前記拡張カバレッジモードの何れかを利用して、前記少なくとも１つのＲＡＴに対応する帯域で無線周波数（ＲＦ）チャネルを、前記移動局によって、走査および識別するステップと、
前記標準カバレッジモードまたは前記拡張カバレッジモードの何れかを利用して前記走査および識別された無線周波数チャネルを通して送信された同期信号を、前記移動局によって、検出するステップであって、前記走査および識別された無線周波数チャネルの各々に対して検出される前記同期信号は、前記移動局が前記セルを識別し前記セルによるダウンリンク送信と同期することを可能にする、ステップと、
前記標準カバレッジモードまたは前記拡張カバレッジモードの何れかを利用して、同期信号が検出される、前記セルの各々からシステム情報を、前記移動局によって、受信するステップであって、前記受信されたシステム情報は、前記移動局が前記セルのそれぞれにアクセスし、前記セルが選択または再選択のための候補であるか否かを検出することを可能にする、ステップと、
をさらに含む、
請求項１に記載の方法。
【請求項５】
前記セル選択基準は、受信レベル値（Ｑｒｘｌｅｖｍｉｎ）、または、品質レベル値（Ｑｑｕａｌｍｉｎ）である、
請求項１に記載の方法。
【請求項６】
前記拡張カバレッジモードを利用する場合、前記選択または再選択ステップは、
測定されたセルＲＸレベル値または測定されたセル品質値に基づいて前記候補セルの各々を順位付けすることによって前記候補セルの中から前記セルを選択または再選択するステップ、をさらに含む、
請求項１に記載の方法。
【請求項７】
前記保存情報が、前記検出ステップおよび前記選択または再選択ステップが前記拡張カバレッジモードを利用することをサポートする候補セルのみを示す場合、前記移動局は、前記標準カバレッジモードを利用して前記検出および前記選択または再選択を行わない、
請求項１に記載の方法。
【請求項８】
前記保存情報は、前記移動局に接続されることになっている加入者識別モジュール（ＳＩＭ）、または汎用加入者識別モジュール（ＵＳＩＭ）に事前設定される、
請求項１に記載の方法。
【請求項９】
前記保存情報は、物理セル識別子（ＰＣＩ）、ＲＦチャネルの搬送周波数、無線アクセス技術（ＲＡＴ）、前記ＲＡＴに対応する帯域および周波数優先度のうちの少なくとも１つをさらに含む、
請求項１に記載の方法。
【請求項１０】
選択されたセルに、前記候補セルの少なくとも１つが前記検出ステップおよび前記選択または再選択ステップが前記拡張カバレッジモードを利用することをサポートするか否かを示す情報を送信するように、前記移動局によって、要求するステップと、
前記要求ステップに応じて前記選択されたセルによって送信された前記情報を、前記移動局によって、受信、および保存するステップと、
をさらに含む、
請求項１に記載の方法。
【請求項１１】
前記候補セルの少なくとも１つが前記検出ステップおよび前記選択または再選択ステップが前記拡張カバレッジモードを利用することをサポートするか否かを示す、選択されたセルによって報知される情報を、前記移動局によって、受信および保存するステップ、
をさらに含む、
請求項１に記載の方法。
【請求項１２】
セルから事前定義された数の送信を受信および結合するステップと、
前記セルが前記検出ステップおよび前記選択または再選択ステップが前記拡張カバレッジモードを利用することをサポートするか否かを示す情報を、前記セルからの前記受信および結合された送信が同じトランスポートブロックに対応するか否かに基づいて、決定するステップと、
前記セルが前記検出ステップおよび前記選択または再選択ステップが前記拡張カバレッジモードを利用することをサポートするか否かを示す前記決定された情報を保存するステップと、
をさらに含み、
同じトランスポートブロックに対応する、前記セル上の前記事前定義された数の送信は、システムフレーム番号（ＳＦＮ）０、８、１６、および２４における物理ダウンリンク制御チャネル（ＰＤＣＣＨ）送信、またはＳＦＮ３２、４０、４８、および５６における物理ダウンリンク共有チャネル（ＰＤＳＣＨ）送信までである、
請求項１に記載の方法。
【請求項１３】
前記保存情報が、前記検出ステップおよび前記選択または再選択ステップが前記拡張カバレッジモードを利用することをサポートされているか否かを示す、前記候補セルは、前記移動局が前回選択した前記セル、または、前記前回選択されたセルの隣接セルを含む、請求項１に記載の方法。
【請求項１４】
少なくとも１つの無線アクセス技術（ＲＡＴ）に対応する複数のセルの中からセルを選択または再選択する移動局であって、前記移動局は、標準カバレッジモードおよび拡張カバレッジモードをサポートし、
前記複数のセルの中から、前記標準カバレッジモードまたは前記拡張カバレッジモードの何れかを利用することによって選択または再選択のための候補である候補セルを検出し、前記候補セルは、前記複数のセルのうち、前記移動局によってその後の選択または再選択が成功する可能があるセルである、検出ユニットと、
前記標準カバレッジモードまたは前記拡張カバレッジモードの何れかを利用することによって検出された前記候補セルの中からセルを選択または再選択する選択または再選択ユニットと、
を備え、
前記標準カバレッジモードを利用する、前記検出ユニットが、任意の候補セルを検出することに成功しない場合、または、
前記標準カバレッジモードを利用する、前記選択または再選択ユニットが、前記標準カバレッジモードを利用して検出された前記候補セルの中から前記セルを選択または再選択することに成功しない場合、
前記選択または再選択ユニットは、前記拡張カバレッジモードを利用する前記検出ユニットによって検出された前記候補セルの中から前記拡張カバレッジモードを利用することによって前記選択または再選択を行い、
前記検出ユニットおよび前記選択または再選択ユニットは、さらに、前記候補セルの少なくとも１つが前記検出ユニットおよび前記選択または再選択ユニットが前記拡張カバレッジモードを利用することをサポートするか否かを示す保存情報に基づいて、前記検出、および前記選択または再選択を行い、
前記選択または再選択ユニットが前記標準カバレッジモードを利用する場合、前記選択または再選択ユニットは、第１の閾値に対するセル選択基準を、前記候補セルの各々について評価し、
前記選択または再選択ユニットが前記拡張カバレッジモードを利用する場合、前記選択または再選択ユニットは、前記第１の閾値よりも低い第２の閾値に対する前記セル選択基準を、前記候補セルの各々について評価する、
移動局。
【請求項１５】
標準カバレッジモードおよび拡張カバレッジモードをサポートする移動局によって実行されたとき、前記移動局に、
複数のセルの中から、前記移動局による選択または再選択のための候補である候補セルを、前記移動局によって、検出するステップであって、前記候補セルは、前記複数のセルのうち、前記移動局によってその後の選択または再選択が成功する可能があるセルであり、前記検出ステップは、前記標準カバレッジモードまたは前記拡張カバレッジモードの何れかを利用する、ステップと、
前記検出ステップによって検出された前記候補セルの中からセルを、前記移動局によって、選択または再選択するステップであって、前記選択または再選択ステップは、前記標準カバレッジモードまたは前記拡張カバレッジモードの何れかを利用する、ステップと、
を行うことによって、少なくとも１つの無線アクセス技術（ＲＡＴ）に対応する前記複数のセルの中から前記セルを選択または再選択させる、命令を格納するコンピュータ可読媒体であって、
前記標準カバレッジモードを利用する、前記検出ステップが、任意の候補セルを検出することに成功しない場合、または、
前記標準カバレッジモードを利用する、前記選択または再選択ステップが、前記標準カバレッジモードを利用する前記検出ステップによって検出された前記候補セルの中から前記セルを選択または再選択することに成功しない場合、
前記移動局は、前記拡張カバレッジモードを利用する前記検出ステップによって検出された前記候補セルの中から、前記拡張カバレッジモードを利用する前記選択または再選択ステップを行っており、
前記検出ステップおよび、前記選択または再選択ステップは、前記移動局によって、前記候補セルの少なくとも１つが前記検出ステップおよび前記選択または再選択ステップが前記拡張カバレッジモードを利用することをサポートするか否かを示す保存情報に基づいて行われ、
前記選択または再選択ステップが前記標準カバレッジモードを利用する場合、前記選択または再選択ステップは、第１の閾値に対するセル選択基準を、前記候補セルの各々について評価することによって行われ、
前記選択または再選択ステップが前記拡張カバレッジモードを利用する場合、前記選択または再選択ステップは、前記第１の閾値よりも低い第２の閾値に対する前記セル選択基準を、前記候補セルの各々について評価することによって行われる、
コンピュータ可読媒体。
【発明の詳細な説明】
【技術分野】
【０００１】
本開示は、少なくとも１つのＲＡＴ（Radio Access Technology）に対応する複数のセルの中からセルを、移動局によって、選択または再選択するための方法に関し、移動局は標準カバレッジモードおよび拡張カバレッジモードをサポートする。本開示は、本明細書で説明される方法に関与しこの方法を行うための移動局および基地局を同様に提供している。
【背景技術】
【０００２】
ＬＴＥ（Long Term Evolution）
ＷＣＤＭＡ（登録商標）無線アクセス技術に基づく第３世代モバイルシステム（３Ｇ）は、世界中で大規模に配備されつつある。この技術を拡張するまたは進化させる第１のステップは、ＨＳＤＰＡ（High Speed Downlink Packet Access）および、ＨＳＵＰＡ（High Speed Uplink Packet Access）とも呼ばれる、拡張アップリンクを導入し、高い競争力を持つ無線アクセス技術を与えることを必要とする。
【０００３】
さらに増加するユーザの需要に備えるために、および新しい無線アクセス技術に対して競争力を持つために、３ＧＰＰは、ＬＴＥ（Long Term Evolution）と呼ばれる新しい移動通信システムを導入した。ＬＴＥは、次の１０年間のために、高容量音声サポートと同様、高速のデータおよびメディアトランスポートに対するキャリアのニーズを満たすように設計される。高ビットレートを提供する能力は、ＬＴＥに対する重要な尺度である。
【０００４】
進化型ＵＴＲＡ（UMTS Terrestrial Radio Access）およびＵＴＲＡＮ（UMTS Terrestrial Radio Access Network）と呼ばれるＬＴＥ（Long Term Evolution）についての作業項目（ＷＩ：Work Item）仕様は、リリース８（ＬＴＥ  Ｒｅｌ．８）として完成される。ＬＴＥシステムは、低レイテンシおよび低コストでＩＰベースの機能を提供する、効率的なパケットベースの無線アクセスおよび無線アクセスネットワークを表す。ＬＴＥにおいては、所与のスペクトルを使用して柔軟なシステム配置を達成するために、１．４、３．０、５．０、１０．０、１５．０、および２０．０ＭＨｚなどのスケーラブルな多数の送信帯域幅が指定される。ダウンリンクにおいて、ＯＦＤＭ（Orthogonal Frequency Division Multiplexing）ベースの無線アクセスは、低シンボルレートに起因するマルチパス干渉（ＭＰＩ）に対するその固有の耐性、ＣＰ（Cyclic Prefix）の使用およびさまざまな送信帯域幅配列に対するその親和性のために採用された。ＳＣ−ＦＤＭＡ（Single-Carrier Frequency Division Multiple Access）ベースの無線アクセスは、ユーザ機器（ＵＥ：User Equipment）の制限された送信電力を考慮してピーク・データ・レートの改善よりも広いエリアカバレッジを提供することが優先されたので、アップリンクで採用された。ＭＩＭＯ（Multiple-Input Multiple-Output）チャネル送信技術を含む、多くの重要なパケット無線アクセス技術が使われ、非常に効率的な制御シグナリング構造がＬＴＥ  Ｒｅｌ．８／９で達成される。
【０００５】
ＬＴＥアーキテクチャ
全体的なアーキテクチャは図１に示され、Ｅ−ＵＴＲＡＮアーキテクチャのより詳細な表現は、図２で与えられる。Ｅ−ＵＴＲＡＮは、ユーザ機器（ＵＥ）に向かってＥ−ＵＴＲＡのユーザプレーン（ＰＤＣＰ／ＲＬＣ／ＭＡＣ／ＰＨＹ）プロトコル終端および制御プレーン（ＲＲＣ）プロトコル終端を提供する、ｅＮｏｄｅＢからなる。ｅＮｏｄｅＢ（ｅＮＢ）は、物理（ＰＨＹ）、メディアアクセス制御（ＭＡＣ）、無線リンク制御（ＲＬＣ）、およびユーザプレーンヘッダ圧縮および暗号化の機能を含むパケットデータ制御プロトコル（ＰＤＣＰ）レイヤをホストする。ｅＮｏｄｅＢは、制御プレーンに対応する無線リソース制御（ＲＲＣ）機能を同様に提供する。ｅＮｏｄｅＢは、無線リソース管理、アドミッションコントロール、スケジューリング、ネゴシエートされたアップリンクサービス品質（ＱｏＳ）の施行、セル情報報知、ユーザおよび制御プレーンのデータの暗号化／復号、ならびにダウンリンク／アップリンクのユーザプレーンのパケットヘッダの圧縮／解凍を含む多くの機能を行う。ｅＮｏｄｅＢは、Ｘ２インタフェースを用いて相互に接続される。
【０００６】
ｅＮｏｄｅＢは、Ｓ１インタフェースを用いてＥＰＣ（Evolved Packet Core）に、より具体的にはＳ１−ＭＭＥを用いてＭＭＥ（Mobility Management Entity）に、およびＳ１−Ｕを用いてサービングゲートウェイ（ＳＧＷ：Serving Gateway）に同様に接続される。Ｓ１インタフェースは、ＭＭＥ／サービングゲートウェイとｅＮｏｄｅＢとの間の多対多の関係をサポートする。ＳＧＷは、ユーザ・データ・パケットをルーティングし、フォワードする一方で、ｅＮｏｄｅＢ間のハンドオーバ中のユーザプレーンに対するモビリティアンカとして、および（Ｓ４インタフェースを終端し、２Ｇ／３ＧシステムとＰＤＮ  ＧＷとの間でトラフィックを中継する）ＬＴＥと他の３ＧＰＰ技術との間のモビリティのためのアンカとしての役割も果たす。アイドル状態のユーザ機器に対して、ＳＧＷは、ユーザ機器あてにダウンリンクデータが到着するとき、ダウンリンクのデータパスを終端しページングをトリガする。ＳＧＷは、ユーザ機器のコンテキスト、例えばＩＰベアラサービスのパラメータ、ネットワーク内部のルーティング情報を管理し保存する。ＳＧＷは、合法的傍受の場合、ユーザトラフィックの複製を同様に行う。
【０００７】
ＭＭＥは、ＬＴＥアクセスネットワークのための重要な制御ノードである。ＭＭＥは、再送を含むアイドルモードのユーザ機器の追跡およびページング手順に対して責任がある。ＭＭＥは、ベアラのアクティブ化／非アクティブ化プロセスに関与し、同様に、初期のアタッチで、およびＣＮ（Core Network）ノード再配置を伴うＬＴＥ間ハンドオーバ時に、ユーザ機器のためにＳＧＷを選択する責任がある。ＭＭＥは、（ＨＳＳと対話することによって）ユーザを認証する責任がある。ＮＡＳ（Non-Access Stratum）シグナリングは、ＭＭＥで終端し、ＭＭＥは、ユーザ機器への一時的な識別の生成および配分に対して同様に責任がある。ＭＭＥは、サービスプロバイダのＰＬＭＮ（Public Land Mobile Network）にキャンプするためのユーザ機器の権限をチェックし、ユーザ機器のローミング制限を実施する。ＭＭＥは、ＮＡＳシグナリングのための暗号化／完全性保護に対するネットワークにおける終端点であり、セキュリティキー管理を取り扱う。シグナリングの合法的傍受は、ＭＭＥによって同様にサポートされる。ＭＭＥは、ＳＧＳＮからのＭＭＥで終端するＳ３インタフェースを用いてＬＴＥと２Ｇ／３Ｇアクセスネットワークとの間のモビリティのために制御プレーン機能を同様に提供する。ＭＭＥは同様に、ユーザ機器をローミングするためにホームＨＳＳに向かうＳ６ａインタフェースを終端する。
【０００８】
ＬＴＥにおけるコンポーネントキャリア構造
３ＧＰＰ  ＬＴＥシステムのダウンリンク・コンポーネント・キャリアは、いわゆるサブフレームにおいて時間−周波数領域で細分される。３ＧＰＰ  ＬＴＥにおいて、各々のサブフレームは、図３に示されるように２つのダウンリンクスロットに分割され、第１のダウンリンクスロットは、第１のＯＦＤＭシンボルの中の制御チャネル領域（ＰＤＣＣＨ領域）を含む。各々のサブフレームは、時間領域において所与の数のＯＦＤＭシンボル（３ＧＰＰ  ＬＴＥ（リリース８）では１２または１４個のＯＦＤＭシンボル）からなり、各々のＯＦＤＭシンボルは、コンポーネントキャリアの帯域幅全体に及ぶ。したがってＯＦＤＭシンボルは、各々、図４に同じく示されるように、それぞれのＮＤＬＲＢ＊ＮＲＢＳＣ個のサブキャリア上で送信される多くの変調シンボルからなる。
【０００９】
例えば３ＧＰＰ  ＬＴＥ（Long Term Evolution）で使用されるように、例えばＯＦＤＭを使う、マルチキャリア通信システムを想定すると、スケジューラによって割り当てることができるリソースの最小単位は、１つの「リソースブロック」である。物理リソースブロック（ＰＲＢ）は、図４に例証されるように、時間領域におけるＮＤＬｓｙｍｂ個の連続的なＯＦＤＭシンボル（例えば７個のＯＦＤＭシンボル）および周波数領域におけるＮＲＢＳＣ個の連続的なサブキャリア（例えばコンポーネントキャリアに対して１２個のサブキャリア）として定義される。したがって、３ＧＰＰ  ＬＴＥ（リリース８）において、物理リソースブロックは、時間領域における１つのスロットおよび周波数領域における１８０ｋＨｚに対応する、ＮＤＬｓｙｍｂ＊ＮＲＢＳＣ個のリソースエレメントからなる（ダウンリンク・リソース・グリッドに関するさらなる詳細については、例えば、ｈｔｔｐ：／／ｗｗｗ．３ｇｐｐ．ｏｒｇで利用可能であり、参照により本明細書に援用される、非特許文献１、第６．２節を参照されたい）。
【００１０】
１つのサブフレームは２つのスロットからなり、したがって、いわゆる「標準」ＣＰ（normal Cyclic Prefix）が使用されるときサブフレームに１４個のＯＦＤＭシンボルがあり、いわゆる「拡張」ＣＰ（extended CP）が使用されるときサブフレームに１２個のＯＦＤＭシンボルがある。専門用語のために、以下では、完全なサブフレームに及ぶ同じＮＲＢＳＣ個の連続的なサブキャリアと同等の時間−周波数リソースを「リソース・ブロック・ペア」、または同等の「ＲＢペア」もしくは「ＰＲＢペア」と呼ぶ。
【００１１】
用語「コンポーネントキャリア」は、周波数領域におけるいくつかのリソースブロックの組合せを意味する。ＬＴＥの将来のリリースにおいては、用語「コンポーネントキャリア」は、もはや使用されず、その代わりに、専門用語は、ダウンリンクリソースおよび任意選択でアップリンクリソースの組合せを意味する「セル」に変更される。ダウンリンクリソースの搬送周波数とアップリンクリソースの搬送周波数との間の関連付けは、ダウンリンクリソース上で送信されるシステム情報で示される。
【００１２】
コンポーネントキャリア構造に対する類似した仮定は、後のリリースに同様に適用される。
【００１３】
より広い帯域幅をサポートするためのＬＴＥ−Ａにおけるキャリアアグリゲーション
ＩＭＴアドバンストに対する周波数スペクトルは、世界無線通信会議２００７（ＷＲＣ−０７）で決められた。ＩＭＴアドバンストに対する全体的な周波数スペクトルが決められたが、実際の利用可能な周波数帯域幅は各々の地域または国によって異なる。しかしながら、利用可能な周波数スペクトルのアウトラインに関する決定に従って、無線インタフェースの標準化が３ＧＰＰ（3rd Generation Partnership Project）において始まった。３ＧＰＰ  ＴＳＧ  ＲＡＮ＃３９会合で、「Ｅ−ＵＴＲＡ（LTE-Advanced）のさらなる発展（Ａｄｖａｎｃｅｍｅｎｔ）」に関する検討項目（Study Item）の記載が承認された。検討項目は、例えばＩＭＴアドバンストに関する要件を満たすための、Ｅ−ＵＴＲＡの進化のために考慮されるべき技術的構成要素をカバーする。
【００１４】
ＬＴＥアドバンストシステムがサポートすることが可能な帯域幅は１００ＭＨｚであるが、ＬＴＥシステムは２０ＭＨｚしかサポートすることができない。最近は、無線スペクトルの不足がワイヤレスネットワークの開発におけるボトルネックとなっており、結果として、ＬＴＥアドバンストシステムのために十分広いスペクトル帯域を見つけることが難しい。したがって、より広い無線スペクトル帯域を獲得する方法を見つけることは急務であり、１つの可能な答えがキャリアアグリゲーション機能である。
【００１５】
キャリアアグリゲーションにおいて、２つ以上のコンポーネントキャリア（コンポーネントキャリア）が、最大１００ＭＨｚまでのより広い送信帯域幅をサポートするためにアグリゲートされる。ＬＴＥシステムのいくつかのセルは、ＬＴＥのこれらのセルが異なる周波数帯域にあるとしても、１００ＭＨｚに十分なだけ広い、ＬＴＥアドバンストシステムの１つのより広いチャネルにアグリゲートされる。
【００１６】
すべてのコンポーネントキャリアは、少なくとも、アップリンクおよびダウンリンクにおけるコンポーネントキャリアのアグリゲートされる数が同じであるとき、ＬＴＥ  Ｒｅｌ．８／９と互換性があるように設定され得る。ユーザ機器によってアグリゲートされるすべてのコンポーネントキャリアが必ずしもＲｅｌ．８／９と互換性があるわけではない。既存の機構（例えば禁止（ｂａｒｒｉｎｇ））を使用して、Ｒｅｌ−８／９のユーザ機器がコンポーネントキャリアにキャンプするのを防ぐことができる。
【００１７】
ユーザ機器は、その能力に応じて、（多数のサービングセルに対応する）１つまたは多数のコンポーネントキャリアを同時に受信または送信することができる。キャリアアグリゲーションのための受信および／または送信能力を持つＬＴＥ−Ａ  Ｒｅｌ．１０のユーザ機器は、多数のサービングセルで同時に受信および／または送信することができるのに対し、ＬＴＥ  Ｒｅｌ．８／９のユーザ機器は、コンポーネントキャリアの構造がＲｅｌ．８／９仕様に従うならば、単一のサービングセルのみで受信および送信することができる。
キャリアアグリゲーションは、３ＧＰＰ  ＬＴＥ（リリース８／９）のｎｕｍｅｒｏｌｏｇｙを使用して各コンポーネントキャリアを周波数領域で最大１１０個のリソースブロックに限定して、連続的なコンポーネントキャリアと非連続的なコンポーネントキャリアの両方に対してサポートされる。
【００１８】
同じｅＮｏｄｅＢ（基地局）から生じ、場合によってはアップリンクおよびダウンリンクで異なる帯域幅の、異なる数のコンポーネントキャリアをアグリゲートするように３ＧＰＰ  ＬＴＥ−Ａ（リリース１０）互換のユーザ機器を設定することが可能である。設定され得るダウンリンク・コンポーネント・キャリアの数は、ＵＥ（移動局）のダウンリンクアグリゲーション能力に依存する。反対に、設定され得るアップリンク・コンポーネント・キャリアの数は、ＵＥのアップリンクアグリゲーション能力に依存する。ダウンリンク・コンポーネント・キャリアより多いアップリンク・コンポーネント・キャリアを用いる移動局を設定することが可能ではない場合がある。
【００１９】
典型的なＴＤＤ配置において、アップリンクおよびダウンリンクにおけるコンポーネントキャリアの数および各々のコンポーネントキャリアの帯域幅は同じである。同じｅＮｏｄｅＢから生じるコンポーネントキャリアは同じカバレッジを提供する必要がない。
【００２０】
連続的にアグリゲートされるコンポーネントキャリアの中心周波数間の間隔は、３００ｋＨｚの倍数とすることになっている。これは、３ＧＰＰ  ＬＴＥ（リリース８／９）の１００ｋＨｚ周波数ラスタと互換性を持ち、同時に、１５ｋＨｚ間隔のサブキャリアの直交性を維持するためである。アグリゲーションシナリオに応じて、ｎ＊３００ｋＨｚの間隔は、連続的なコンポーネントキャリア間に少数の使用されないサブキャリアを挿入することによって容易にすることができる。
【００２１】
多数のキャリアのアグリゲーションの性質は、ＭＡＣレイヤまでしか明らかにされていない。アップリンクおよびダウンリンクの両方に対して、各々のアグリゲートされたコンポーネントキャリアのためにＭＡＣで必要とされる１つのＨＡＲＱエンティティがある。（アップリンクのためのＳＵ−ＭＩＭＯがない場合）コンポーネントキャリアごとに最大で１つのトランスポートブロックがある。トランスポートブロックおよびその潜在的なＨＡＲＱ再送は、同じコンポーネントキャリアにマッピングされる必要がある。
【００２２】
アクティブ化されたキャリアアグリゲーションを用いたレイヤ２構造は、それぞれダウンリンクおよびアップリンクに関して図５および図６に示される。
【００２３】
キャリアアグリゲーションが設定されるとき、移動局は、ネットワークと１つのＲＲＣ接続を有するのみである。ＲＲＣ接続確立／再確立において、１つのセルは、ＬＴＥ  Ｒｅｌ．８／９と同様に、セキュリティ入力（１つのＥＣＧＩ、１つのＰＣＩおよび１つのＡＲＦＣＮ）および非アクセス層モビリティ情報（例えばＴＡＩ）を提供する。ＲＲＣ接続確立／再確立の後、そのセルに対応するコンポーネントキャリアは、ダウンリンク・プライマリ・セル（ＰＣｅｌｌ）と呼ばれる。常に１つだけのダウンリンクＰＣｅｌｌ（ＤＬ  ＰＣｅｌｌ）および接続状態のユーザ機器ごとに設定される１つのアップリンクＰＣｅｌｌ（ＵＬ  ＰＣｅｌｌ）がある。設定されたコンポーネントキャリアのセットの中で、他のセルはセカンダリセル（ＳＣｅｌｌ）と呼ばれ、ＳＣｅｌｌのキャリアはダウンリンク・セカンダリ・コンポーネント・キャリア（ＤＬ  ＳＣＣ）およびアップリンク・セカンダリ・コンポーネント・キャリア（ＵＬ  ＳＣＣ）である。ダウンリンクおよびアップリンクＰＣｅｌｌの特徴は、以下のとおりである。
【００２４】
−各々のＳＣｅｌｌに対して、ダウンリンクリソースの使用に加えて、ＵＥによるアップリンクリソースの使用が設定可能であり、したがって、設定されるＤＬ  ＳＣＣの数は、常にＵＬ  ＳＣＣの数以上であり、アップリンクリソースのみの使用のためにＳＣｅｌｌを設定することはできない。
−アップリンクＰＣｅｌｌは、レイヤ１アップリンク制御情報の送信のために使用される。
−ＳＣｅｌｌと異なり、ダウンリンクＰＣｅｌｌは、非アクティブ化できない。
−ＵＥの視点から見ると、各々のアップリンクリソースは、ただ１つのサービングセルに属するのみである。
−設定され得るサービングセルの数は、ＵＥのアグリゲーション能力に依存する。
−再確立は、ダウンリンクＳＣｅｌｌがレイリーフェーディング（ＲＬＦ）を被るときでなく、ダウンリンクＰＣｅｌｌがレイリーフェーディング（ＲＬＦ）を被るときにトリガされる。
−ダウンリンクＰＣｅｌｌは、ハンドオーバを用いて（すなわちセキュリティキー変更およびＲＡＣＨ手順を用いて）で変更することができる。
−非アクセス層情報は、ダウンリンクＰＣｅｌｌから取得される。
−ＰＣｅｌｌは、ハンドオーバ手順を用いて（すなわちセキュリティキー変更およびＲＡＣＨ手順を用いて）のみ変更することができる。
−ＰＣｅｌｌは、ＰＵＣＣＨの送信のために使用される。
【００２５】
コンポーネントキャリアの設定および再設定は、ＲＲＣによって行うことができる。アクティブ化および非アクティブ化は、ＭＡＣ制御要素を介して行われる。ＬＴＥ間ハンドオーバにおいて、ＲＲＣは、同様に、ターゲットセルで使用するためにＳＣｅｌｌを追加、削除、または再設定することができる。新しいＳＣｅｌｌを追加するとき、専用ＲＲＣシグナリングが、ＳＣｅｌｌのシステム情報を送るために使用され、情報は、（ハンドオーバに関してＲｅｌ−８／９と同様に）送信／受信のために必要である。
【００２６】
ユーザ機器がキャリアアグリゲーションを用いて設定されるとき、１対の常にアクティブなアップリンクおよびダウンリンクのコンポーネントキャリアがある。その対のダウンリンク・コンポーネント・キャリアは、同じく「ＤＬアンカキャリア」と呼ぶことができる。同じことがアップリンクにも適用される。
【００２７】
キャリアアグリゲーションが設定されるとき、ユーザ機器は、同時に多数のコンポーネントキャリアに渡ってスケジューリングされ得るが、どんなときでも、最大で１つのランダムアクセス手順が進行中であるべきである。キャリアをまたがるスケジューリングは、コンポーネントキャリアのＰＤＣＣＨが別のコンポーネントキャリアに関するリソースをスケジューリングすることを可能にする。この目的のために、ＣＩＦと呼ばれる、コンポーネントキャリア識別フィールドがそれぞれのＤＣＩフォーマットに導入される。
【００２８】
アップリンク・コンポーネント・キャリアとダウンリンク・コンポーネント・キャリアとの間の関連付けは、キャリアをまたがらないスケジューリングがあるとき、グラントが適用されるアップリンク・コンポーネント・キャリアを識別することを可能にする。ダウンリンク・コンポーネント・キャリアのアップリンク・コンポーネント・キャリアへの関連付けは、必ずしも１対１である必要はない。換言すれば、２つ以上のダウンリンク・コンポーネント・キャリアが、同じアップリンク・コンポーネント・キャリアにリンクすることができる。同時に、ダウンリンク・コンポーネント・キャリアは、１つのアップリンク・コンポーネント・キャリアにのみリンクすることができる。
【００２９】
スモールセル配置シナリオ
移動データに対する爆発的な需要は、携帯電話事業者がより高容量およびユーザエクペリエンスの品質（ＱｏＥ）向上という困難な要件に応える必要があるようになる方法に変化を引き起こしている。現在、ＬＴＥ（Long Term Evolution）を使用する第４世代ワイヤレス・アクセス・システムは、３Ｇ／３．５Ｇシステムより低レイテンシおよび高い効率でより高速のアクセスを提案するために、世界的に多くの事業者によって配備されつつある。
【００３０】
予想される将来のトラフィック成長は途方もなく大きいので、特にトラフィックの最高容量を生成する高トラフィックエリア（ホット・スポット・エリア）で、容量要件に対処するためのさらなるネットワーク高密度化の必要性が非常に高まっている。ネットワーク高密度化−ネットワークノードの数を増やし、それによってネットワークノードをユーザ局に物理的により近付けること−は、トラフィック容量を改善し、ワイヤレス通信システムの達成可能なユーザ・データ・レートを拡張するための鍵である。
【００３１】
マクロ配置の簡単な高密度化に加えて、ネットワーク高密度化は、既存のマクロ・ノード・レイヤのカバレッジの下でそれぞれスモールセルの、補完的な低電力ノードの配置によって達成することができる。このようなヘテロジニアス配置において、低電力ノードは、例えば屋内および屋外のホットスポットの場所で、局所的に非常に高いトラフィック容量および非常に高いユーザスループットを提供する。一方、マクロレイヤは、カバレッジエリア全体にわたってサービスアベイラビリティおよびＱｏＥを保証する。換言すれば、低電力ノードを包含するレイヤは、広いエリアをカバーするマクロレイヤと対照的に、ローカルエリアアクセスを提供するとも言うことができる。
【００３２】
ヘテロジニアス配置と同様、それぞれスモールセルの低電力ノードの設置は、ＬＴＥの最初のリリース以降、可能であった。この点について、多くのソリューションがＬＴＥの最近のリリース（すなわち、リリース−１０／１１）で指定されている。より具体的には、これらの最近のリリースは、ヘテロジニアス配置におけるレイヤ間干渉に対処するための追加のツールを導入した。性能をさらに最適化しコスト／エネルギー効率が良い動作を提供するために、スモールセルはさらなる拡張を必要とし、多くの場合、既存のマクロセルと対話し、または既存のマクロセルを補完する必要がある。
【００３３】
このような最適化は、ＬＴＥ−リリース１２およびそれ以降のさらなる進化の一部として調査されるはずである。特に低電力ノードおよびヘテロジニアス配置に関連したさらなる拡張は、新しいＲｅｌ−１２検討項目（ＳＩ）「Ｅ−ＵＴＲＡおよびＥ−ＵＴＲＡＮのためのスモールセル拡張に関する検討」の傘下で考慮されることになる。これらの活動のいくつかは、低電力レイヤへのマクロ支援および二重レイヤ接続性という異なる形を含む、マクロレイヤと低電力レイヤとの間のさらに高度なインタワーキングの達成に焦点をあてることになる。二重接続性は、デバイスがマクロレイヤおよび低電力レイヤの両方への同時接続を有することを暗示する。
【００３４】
ＭＴＣ（Machine Type Communication）
ＬＴＥの配備が進展するにつれて、事業者は、ＲＡＴの数を最小化することによって全体的なネットワーク保守のコストを減らそうと努力する。この点において、ＭＴＣ（Machine Type Communication）デバイスは、将来拡張し続ける可能性が高いマーケットである。
【００３５】
多くのＭＴＣデバイスは、ＧＳＭ（登録商標）／ＧＰＲＳによって十分に対処され得るローエンド（低コスト、低データレート）アプリケーションを目標に定めている。これらのデバイスの低いコストおよびＧＳＭ／ＧＰＲＳの良好なカバレッジのおかげで、ＭＴＣデバイスサプライヤがＬＴＥ無線インタフェースをサポートするモジュールを使用する動機付けは、ごくわずかしかない。
【００３６】
ますます多くのＭＴＣデバイスがフィールドに配置されるにつれて、これにより当然ＧＳＭ／ＧＰＲＳネットワークへの依存が増える。このことは、事業者に多数のＲＡＴの保守に関して負担をかけるだけでなく、（ＧＳＭ／ＧＰＲＳのスペクトル効率が最適でないことを考えると）事業者がそれらのスペクトルから最大の利益を収めるのを妨げることになる。
【００３７】
ＭＴＣデバイスの数が多くなる可能性が高いことを考えると、サービス提供のためにデバイスが必要とすることになる全体的なリソースは、相応にかなり大きくなり、非効率的に割り当てられる可能性がある（ＭＴＣの目的に関するさらなる詳細については、例えば、ｈｔｔｐ：／／ｗｗｗ．３ｇｐｐ．ｏｒｇで利用可能であり、参照により本明細書に援用される、非特許文献２の第４節を参照されたい）。
【００３８】
ＬＴＥのコストを下げる手法は、現在製品のボリュームを主要な理由とみなしている。ボリュームのインパクトは、どのように低コストＭＴＣが開発されるかに応じて、２つの可能な方法で見ることができる。第１に、低コストＭＴＣがメインラインＬＴＥと非常に類似でＬＴＥチップセットに含まれ得る場合、ＭＴＣはＬＴＥのボリュームの利益を有する。第２に、ＬＴＥに基づく低コストＭＴＣは、メインラインＬＴＥより著しく低コストとすることができる。ＬＴＥに基づく低コストＭＴＣは、ＬＴＥのボリュームの利益がないように思われるが、サポートされるＭＴＣアプリケーションおよびシナリオの数が潜在的により大きいため、ＭＴＣデバイスのボリュームはさらに大きくなり得る。
【００３９】
この点において、ＬＴＥのコストを下げるための次の手法、すなわち低コストＭＴＣを定義することが論じられ、著しいＵＥコストインパクトがあることが見いだされる（低コストＭＴＣデバイスに関するさらなる詳細については、例えば、ｈｔｔｐ：／／ｗｗｗ．３ｇｐｐ．ｏｒｇで利用可能であり、参照により本明細書に援用される、非特許文献３の第４節を参照されたい）。
【００４０】
低コストＬＴＥのためのサポート帯域幅の削減：低コストの１．４ＭＨｚ（６ＲＢ）ダウンリンク帯域幅は、ＭＴＣのたいていのアプリケーションシナリオをカバーし得る。しかしながら、複雑度があまり増えないことを考えると、３ＭＨｚ（１５ＲＢ）または５ＭＨｚ（２５ＲＢ）が考慮され得る。アップリンクが（ダウンリンク受信と比較して）ＭＴＣサービス、送信電力削減の可能性、および小さいベースバンド複雑度に対してより大きい要件を持ち得ることを考えると、ＵＥにおける最小送信帯域幅のどんな削減も慎重に正当化されるべきである。
【００４１】
変更されたＰＤＣＣＨ（modified PDCCH）は、ＰＤＣＣＨブラインドデコーディングを単純化し多数のＭＴＣデバイスに対して効率的なチャネルアクセスを与える低コストＬＴＥのための設計に関連している。最大帯域幅（例えば、１．４ＭＨｚ）の削減は、当然ＰＤＣＣＨのブラインドデコーディングを減少させる。ＨＡＲＱコンシダレーション、ＭＡＣ、ＲＬＣおよびＲＲＣプロトコルを含むプロトコル簡略化。低デューティサイクルＭＴＣデバイスと基地局との間のシグナリング削減。カバレッジを維持し複雑度のバランスをとるための送信モード選択肢絞り込み。
【００４２】
低コストＭＴＣデバイスに関するさらなる考察は、屋内カバレッジの改善に関連している。多くのアプリケーションは、例えば、アパート地下室で、または１階に近い場合がある屋内の機器で、ＭＴＣ（Machine Type Communication）デバイスの屋内配置を必要とする。これらのＵＥは、無線インタフェースで標準的なＬＴＥデバイスより著しく大きい侵入損失（penetration loss）を被ることになる。これは実質的に、屋内カバレッジが容易に利用可能で信頼性が高いものであるべきこと、すなわち既存のカバレッジに関する重要な階段状変化の改善を意味する。
【００４３】
さらに、低コストＭＴＣデバイスの電力消費に関して、多くのアプリケーションは、デバイスが最高１０年までのバッテリ寿命を持つことを必要とすることが指摘される。この点において、現在利用可能な省電力モードは、想像されるバッテリ寿命を達成するために十分ではないように思われる。この点において、最高１０年までのバッテリ寿命を実現するために、例えばシステムにおけるシグナリング交換を最適化することによって、ＭＴＣデバイスの電力使用を著しく削減するようにさらなる技術が提案されることが期待される。
【００４４】
拡張カバレッジモード（ＥＣモード）
低コストＭＴＣデバイスに対する屋内カバレッジを改善するために、最近の開発は、遅延耐性のあるＭＴＣアプリケーションを動作させるＵＥに適用可能な拡張カバレッジ（ＥＣ）モードに焦点をあてた。この点において、準拠する公称カバレッジに対して特定のＵＥカテゴリ／タイプのＵＥのためにＬＴＥカバレッジを拡張することが重要視される（ＥＣモードの目的に関するさらなる詳細については、例えば、ｈｔｔｐ：／／ｗｗｗ．３ｇｐｐ．ｏｒｇで利用可能であり、参照により本明細書に援用される、非特許文献４の第４節を参照されたい）。
【００４５】
拡張カバレッジモードの主な目的は、３ＧＰＰリリース１３における最初の導入に見いだすことができるが、以下の能力を持つシステムを提供することである。
【００４６】
旧式ＧＰＲＳ（非ＥＧＰＲＳ）と比較して２０ｄＢの拡張カバレッジ。干渉限定シナリオおよび雑音限定シナリオの両方が考慮されるべきである。
【００４７】
上で定義されたＵＥカテゴリ／タイプおよび遅延耐性のあるＭＴＣアプリケーションを動作させる他のＵＥのために、それらのそれぞれの公称カバレッジに対して−ＦＤＤに対して１５ｄＢに対応する−相対的なＬＴＥカバレッジ改善を提供する。
【００４８】
１３０〜５００億のマシン・ツー・マシン（Ｍ２Ｍ）デバイスをサポートするための規模。それらのデバイスは高い割合で、不利なカバレッジ条件を被ることになり（したがって最高２０ｄＢまでのカバレッジ改善を必要とし）、セル内の高密度クラスタに配置され得ることが見込まれる。
【００４９】
２０ｄＢ拡張が必要とされ得る不利なカバレッジ条件の場所においても、ＭＴＣデバイスが最高１０年までのバッテリ寿命を持ち得るように、ＭＴＣデバイスの電力消費を旧式ＧＰＲＳ（非ＥＧＰＲＳ）と比較して削減する。
【００５０】
注目すべきことに、ＵＥの公称カバレッジに対して拡張カバレッジモードでＵＥに関して１５／２０ｄＢのカバレッジ拡張を行うことは、ＵＥが極めて低い信号強度を受信可能でなければならないことを意味する。これは、初期走査動作、セル探索およびセル選択動作だけでなく、ＵＥによって行われるその後の通信方式にも当てはまる。
【００５１】
拡張カバレッジモードを定義する初期の試みは、無線送信の修正に焦点をあてた。この点において、議論は、カバレッジを改善するための主な技術であるとして繰返し送信に焦点をあてた。繰返しは、カバレッジ改善のためにすべてのチャネルに適用され得る。
【００５２】
これらの繰返し送信の例示的な実装は、同じデータが多数のサブフレームにまたがって送信されることを定める。けれども、これらの繰返し送信が、標準カバレッジＵＥのために必要とされるよりも多くのリソースブロック（時間−周波数）リソースを使用するようになることは、すぐに明らかになるであろう。さらに、修正された送信は、例えば、ＵＥによって行われるセル選択動作を支援しないので、修正された送信の効果は限定的である。
【００５３】
ＲＦチャネル走査
無線周波数（ＲＦ）チャネルの走査（scanning）は、事前定義されたトリガの上にだけでなく電源投入後にＵＥによって行われ、セル選択プロセス（例えば初期セル選択）をもたらす動作である。走査動作において、ＵＥは、帯域で最も強い周波数（例えば搬送周波数）を持つＲＦチャネルのサブセットを識別することを望む。識別される最も強い周波数は通常、セルに対する基地局の送信に対応する。
【００５４】
この目的のために、ＲＦチャネルの走査は、ＵＥの能力に応じてさまざまな帯域でＵＥによって遂行される。ＵＥの能力が複数の無線アクセス技術（ＲＡＴ）を示す場合、ＵＥは続いて、ＲＡＴの各々に対応する帯域を走査し得る。ＵＥは、ＲＡＴに対応する帯域中のＲＦチャネルが走査される順序について決める。
【００５５】
ＲＦチャネルの走査動作は、３ＧＰＰによって規格化されない。それにもかかわらず、１つの実装によれば、走査動作が帯域で最も強い周波数を識別するために走査される帯域をより小さい部分に細分するということは、普通の解釈である。
【００５６】
例えば、走査動作において、ＵＥは最初に帯域を、より大きいＲＦ受信窓に基づいて走査が行われる、より大きいサブバンドに細分することができる。これは、帯域のロースキャンと呼ぶことができる。さらに、正確な周波数を絞るために、ＵＥは、若干のエネルギーが見いだされた、ロースキャンの結果のサブバンドの１つでファインスキャンを行うことができる。ファインスキャンは、ロースキャン帯域の小さい部分で行われる。
【００５７】
ＵＥがオーバラップする帯域を持つ複数のＲＡＴをサポートすると仮定すると、走査動作は、ある一定の帯域から始めて、所与の帯域でサポートされるＲＡＴを探し、上述のロースキャン、およびファインスキャン機構の適用によって最も強い周波数を識別しようとすることができる。
帯域＝１からＢまでについて｛
ＲＡＴ＿ｔｙｐｅ＝１からＲまでについて｛
各々のＢｉＲｊについて、ＵＥは最初に
ロースキャンを行い、そして次に
（ＵＥがどこかに若干のエネルギーを見いだした場合）、
ＵＥが若干のエネルギーを見いだした周波数／帯域エリアの
周りでファインスキャンを行う必要がある。
｝
｝
【００５８】
同期信号検出
同期信号の検出は、走査動作の出力に基づいてＵＥによって行われる動作である。特に、同期信号は、走査されたＲＦチャネル、例えば最も強い周波数を持つＲＦチャネルのサブセットに対して検出される。ＲＦチャネルに対する同期の検出は、セルの識別およびセルを介した送信との同期を可能にする。
【００５９】
特に、同期信号は、物理レイヤによって使用されるリソースエレメントのセットに対応するダウンリンク物理信号であるが、上位レイヤから生じる情報を搬送しない。ダウンリンク物理信号は、同期信号および参照信号を含む。この点において、同期信号は、２つの異なるタイプの同期信号、すなわちプライマリ同期信号とセカンダリ同期信号との間でさらに区別される。
【００６０】
プライマリ同期信号（ＰＳＳ）の実装に関して：５ｍｓごとにすべてのＬＴＥセルによって送信されるシーケンス。それは、ＵＥがスロット同期および物理レイヤセル識別子（セルＩＤ）の一部を取得することを可能にする。３つの異なるシーケンスが、セルＩＤの１６８グループの各々の中の３つの異なるセルＩＤに１対１マッピングで存在する。ＰＳＳは、Ｚａｄｏｆｆ−Ｃｈｕ（ＺＣ）シーケンスに基づいている。
【００６１】
セカンダリ同期信号（ＳＳＳ）の実装に関して：ＳＳＳは、ＬＴＥフレームタイミングを検出し、物理レイヤセル識別子グループを取得するために、ＵＥによって使用される。ＳＳＳは、各１０ｍｓフレームに２度送信される。ＳＳＳシーケンスは、Ｍ系列として知られる、最大長シーケンスに基づいている。各々のＳＳＳシーケンスは、２つの長さ３１の二位相偏移変調（ＢＰＳＫ）によって変調されたシーケンスを、周波数領域で、インタリーブすることによって組み立てられる。これらの２つのコードは、単一の長さ３１のＭ系列の２つの異なる循環シフトである。Ｍ系列の循環シフトインデックスは、物理レイヤセル識別子グループの関数から導出される。２つのコードは、各々の無線フレームで第１のＳＳＳ送信と第２のＳＳＳ送信との間に交替される。これは、ＵＥがＳＳＳのただ１回の観測から１０ｍｓの無線フレームタイミングを決定することを可能にする。
【００６２】
同期信号の定義に関するさらなる詳細については、例えば、ｈｔｔｐ：／／ｗｗｗ．３ｇｐｐ．ｏｒｇで利用可能であり、参照により本明細書に援用される、非特許文献５の第６．１１節を参照されたい。
【００６３】
システム情報受信
システム情報の受信は、走査されたＲＦ信号および検出された同期信号に基づいてＵＥによって行われる動作である。特に、同期信号を検出すると、ＵＥは、セルを識別し、セルによるダウンリンク送信と同期することができる。したがって、ＵＥは、セルの報知チャネル（ＢＣＨ）、したがって対応するシステム情報を受信することができる。システム情報に基づいて、ＵＥは、セルが選択および／または再選択に適しているか否か、すなわちセルが候補セルであるか否か検出することができる。
【００６４】
システム情報は、ＭＩＢ（Master Information Block）および多くのＳＩＢ（System Information Block）に分割される。ＭＩＢは、セルから他の情報を獲得するために必要とされ、ＢＣＨ上で送信される、限定された数の最も不可欠なそして最も頻繁に送信されるパラメータを含む。SystemInformationBlockType1以外のＳＩＢは、ＳＩ（System Information）メッセージで運ばれ、ＳＩメッセージへのＳＩＢのマッピングは、各々のＳＩＢが単一のＳＩメッセージにのみそしてそのメッセージにたかだか１回含まれるという制限付きで、SystemInformationBlockType1に含まれるschedulingInfoListによって柔軟に設定可能である。
【００６５】
同じスケジューリング要件（周期性）を有するＳＩＢだけが、同じＳＩメッセージにマッピングされ得る。SystemInformationBlockType2は常に、schedulingInfoList中のＳＩメッセージのリストの最初のエントリに対応するＳＩメッセージにマッピングされる。同じ周期性で送信される多数のＳＩメッセージが存在し得る。SystemInformationBlockType1およびすべてのＳＩメッセージは、ＤＬ−ＳＣＨ上で送信される。
【００６６】
特に、マスタ情報ブロックは、ネットワークへのＵＥの初期のアクセスに不可欠である限定された数の最も頻繁に送信されるパラメータ−すなわちダウンリンクシステム帯域幅、ダウンリンクでＨＡＲＱ受信通知シグナリングに配分されたリソースのインジケータ、およびシステムフレーム番号（ＳＦＮ）−を含むシステム情報のブロックである。
【００６７】
システム情報ブロックにおいてシステム情報（ＳＩ）が報知され、ＳＩＢ１は、他のＳＩＢの時間領域スケジューリングについての情報と同様、セルがセル選択に適しているか否かを決定するために必要とされるパラメータを包含し、ＳＩＢ２は、共通および共有チャネル情報を含み、ＳＩＢ３〜ＳＩＢ８は、周波数内、周波数間、および無線アクセス技術（ＲＡＴ）間のセル再選択を制御するために使用されるパラメータを含む。
【００６８】
システム情報の定義に関するさらなる詳細については、例えば、ｈｔｔｐ：／／ｗｗｗ．３ｇｐｐ．ｏｒｇで利用可能であり、参照により本明細書に援用される、非特許文献６の第６．２．２．７節および第６．３．１節を参照されたい。
【００６９】
セル選択
セル選択は、受信されたシステム情報に基づいてＵＥによって行われる手順である。特に、システム情報は、ＵＥが、セルが選択および／または再選択に適しているか否かを決定することを可能にする。この点において、このような候補セルに対して、ＵＥは、セルにキャンプするためにセル選択動作を行うことができる。
【００７０】
用語「キャンプ」または、より正確に「正常キャンプ」は、ＵＥが以下のタスクを行う、ＵＥの状態を意味する：ａ）システム情報で送られた情報に従ってセルの示されたページングチャネルを選択し監視する、ｂ）関連するシステム情報を監視する、ｃ）セル再選択評価手順のために必要な測定を行う、ｄ）次の場合／トリガでセル再選択評価プロセスを実行する：ｄ１）指定された性能基準を満たすためのＵＥ内部トリガ、ｂ２）セル再選択評価手順のために使用されるＢＣＣＨ上の情報が修正されたとき。
【００７１】
さらに、「正常キャンプ」状態でＵＥによって行われるべきタスクに加えて、「任意セルにキャンプ」状態で、ＵＥは定期的に、ＵＥによってサポートされるすべてのＲＡＴのすべての周波数を試し適当なセルを見つけようと試みることになっている。適当なセルが見つかった場合、ＵＥは、「正常キャンプ」状態に移行することになっており、ＵＥが音声サービスをサポートし、現在のセルがシステム情報で示されるように緊急呼出をサポートしない場合、ＵＥは、適当なセルが見つからなければ、現在のセルからシステム情報で提供される優先度にかかわらず、任意のサポートされるＲＡＴの受容可能セルにセル選択／再選択を行うべきである。
【００７２】
セル選択にさらに付け加えると、セル選択は一般に、２つのセル選択手順、すなわち初期セル選択と保存情報セル選択手順との間で区別される。
【００７３】
初期セル選択手順では、どのＲＦチャネルがＥ−ＵＴＲＡキャリアであるかについて、先行する知識が利用可能でない。ＵＥは、適当なセルを見つけるために、その能力に従ってＥ−ＵＴＲＡ帯域ですべてのＲＦチャネルを走査することになっている。各々の搬送周波数で、ＵＥはただ最強のセルを探索することのみを必要とする。適当なセルが見つかる時点で、このセルは選択されることになっている。
【００７４】
保存情報セル選択手順では、前に受信された測定制御情報要素からまたは前に検出されたセルからの、搬送周波数および任意選択で同様にセルパラメータに関する情報についての保存情報が必要とされる。ＵＥが適当なセルを見つけた時点でＵＥはそれを選択することになっている。適当なセルが見つからない場合、初期セル選択手順が始められることになっている。
【００７５】
特に、セル選択は、セル選択基準Ｓに基づいてＵＥによって行われる。候補セルの中のセルに対するセル選択基準Ｓが満たされるとき、セル選択が行われることになっており、セル選択基準Ｓが満たされないとき、セル選択は行われないことになっている。
【００７６】
セル選択は、そのセルに対する「正常キャンプ」状態への状態遷移に対応する。状態および状態遷移に関するさらなる詳細ならびにＲＲＣ＿ＩＤＬＥでＵＥによって行われる手順は、図７に示される。
【００７７】
セル選択基準Ｓは、
Ｓｒｘｌｅｖ＞０かつＳｑｕａｌ＞０
のとき満たされ、ここで
Ｓｒｘｌｅｖ＝Ｑｒｘｌｅｖｍｅａｓ−（Ｑｒｘｌｅｖｍｉｎ＋Ｑｒｘｌｅｖｍｉｎｏｆｆｓｅｔ）−Ｐｃｏｍｐｅｎｓａｔｉｏｎ−Ｑｏｆｆｓｅｔｔｅｍｐ
Ｓｑｕａｌ＝Ｑｑｕａｌｍｅａｓ−（Ｑｑｕａｌｍｉｎ＋Ｑｑｕａｌｍｉｎｏｆｆｓｅｔ）−Ｑｏｆｆｓｅｔｔｅｍｐ
であり、ここで次表のとおりである。
【００７８】
【表１】
2019146271.tif 000003
【００７９】
シグナリングされる値QrxlevminoffsetおよびQqualminoffsetは、ＶＰＬＭＮ［５］に正常キャンプしている間に、より優先度の高いＰＬＭＮの周期的な探索の結果として、セル選択のためにセルが評価されるとき適用されるだけである。より優先度の高いＰＬＭＮのこの周期的な探索の間に、ＵＥは、このより優先度の高いＰＬＭＮの異なるセルから保存されたパラメータ値を使用してセルのＳ基準をチェックすることができる。
【００８０】
セル選択およびセル再選択手順の定義に関するさらなる詳細については、例えば、ｈｔｔｐ：／／ｗｗｗ．３ｇｐｐ．ｏｒｇで利用可能であり、参照により本明細書に援用される、非特許文献７の第５．２．３節および第５．２．４節を参照されたい。
【先行技術文献】
【非特許文献】
【００８１】
【非特許文献１】3GPP TS 36.211, "Evolved Universal Terrestrial Radio Access (E-UTRA); Physical Channels and Modulation (Release 8)"
【非特許文献２】3GPP, RP-111112, Vodafone: "Provision of low-cost MTC UEs based on LTE"
【非特許文献３】3GPP, R1-112912, Huawei, HiSilicon, CMCC: "Overview on low-cost MTC UEs based on LTE"
【非特許文献４】3GPP, RP-130848, Vodafone: "Low cost & enhanced coverage MTC UE for LTE"
【非特許文献５】3GPP TS 36.211 v12.2.0, 3rd Generation Partnership Project; Technical Specification Group Radio Access Network; Evolved Universal Terrestrial Radio Access (E-UTRA); Physical Channels and Modulation (Release 12)"
【非特許文献６】3GPP TS 36.331 v12.2.0, 3rd Generation Partnership Project; Technical Specification Group Radio Access Network; Evolved Universal Terrestrial Radio Access (E-UTRA); Radio Resource Control (RRC); Protocol specification (Release 12)"
【非特許文献７】3GPP TS 36.304 v12.2.0, 3rd Generation Partnership Project; Technical Specification Group Radio Access Network; Evolved Universal Terrestrial Radio Access (E-UTRA); User Equipment (UE) procedures in idle mode (Release 12)"
【発明の概要】
【課題を解決するための手段】
【００８２】
１つの非限定的かつ例示的な実施形態は、少なくとも１つの無線アクセス技術（ＲＡＴ）に対応する複数のセルの中からセルを移動局によって選択または再選択するための方法を提供する。移動局は、標準カバレッジモードおよび拡張カバレッジモードをサポートする。この目的のために、移動局は、移動局による選択または再選択のための候補であるセル（すなわち候補セル）を検出している。検出は、標準カバレッジモードまたは拡張カバレッジモードの何れかを利用している。さらに、移動局は、検出された候補セルの中からセルを選択または再選択している。選択または再選択は、標準カバレッジモードまたは拡張カバレッジモードの何れかを利用する。
【００８３】
標準カバレッジモードを利用する、検出が、任意の候補セルを検出することに成功しない場合、または、標準カバレッジモードを利用する、選択または再選択が、標準カバレッジモードを利用して検出された候補セルの中からセルを選択または再選択することに成功しない場合、移動局は、拡張カバレッジモードを利用して同様に検出された候補セルの中から拡張カバレッジモードを利用して選択または再選択を行っている。
【００８４】
移動局は、候補セルの少なくとも１つが検出および選択または再選択が拡張カバレッジモードを利用することをサポートするか否かを示す保存情報に基づいて、検出、および選択または再選択を行っている。
【００８５】
別の非限定的かつ例示的な実施形態は、少なくとも１つの無線アクセス技術（ＲＡＴ）に対応する複数のセルの中からセルを選択または再選択するための移動局を提案する。移動局は、標準カバレッジモードおよび拡張カバレッジモードをサポートする。移動局は、検出ユニット、および選択または再選択ユニットを備える。
【００８６】
検出ユニットは、標準カバレッジモードまたは拡張カバレッジモードの何れかを利用することによって選択または再選択のための候補であるセルを検出する。選択または再選択ユニットは、標準カバレッジモードまたは拡張カバレッジモードの何れかを利用することによって検出された候補セルの中からセルを選択または再選択する。
【００８７】
標準カバレッジモードを利用する、検出ユニットが、任意の候補セルを検出することに成功しない場合、または、標準カバレッジモードを利用する、選択または再選択ユニットが、標準カバレッジモードを利用して検出された候補セルの中からセルを選択または再選択することに成功しない場合、選択または再選択ユニットは、拡張カバレッジモードを利用する検出ユニットによって検出された候補セルの中から拡張カバレッジモードを利用することによって選択または再選択を行う。
【００８８】
検出ユニットおよび選択または再選択ユニットは、さらに、候補セルの少なくとも１つが検出ユニットおよび選択または再選択ユニットが拡張カバレッジモードを利用することをサポートするか否かを示す保存情報に基づいて、検出、および選択または再選択を行う。
【００８９】
さらなる非限定的かつ例示的な実施形態は、標準カバレッジモードおよび拡張カバレッジモードをサポートする移動局によって実行されたとき、移動局に、移動局による選択または再選択のための候補であるセルを、移動局によって、検出するステップであって、標準カバレッジモードまたは拡張カバレッジモードの何れかを利用する、ステップと、検出ステップによって検出された候補セルの中からセルを、移動局によって、選択または再選択するステップであって、標準カバレッジモードまたは拡張カバレッジモードの何れかを利用する、ステップと、を行うことによって、少なくとも１つの無線アクセス技術（ＲＡＴ）に対応する複数のセルの中からセルを選択または再選択させる、命令を格納するコンピュータ可読媒体を提供する。
【００９０】
標準カバレッジモードを利用する、検出ステップが、任意の候補セルを検出することに成功しない場合、または、標準カバレッジモードを利用する、選択または再選択ステップが、標準カバレッジモードを利用する検出ステップによって検出された候補セルの中からセルを選択または再選択することに成功しない場合、移動局は、拡張カバレッジモードを利用する検出ステップによって検出された候補セルの中から拡張カバレッジモードを利用する選択または再選択ステップを行っている。
【００９１】
検出ステップ、および選択または再選択ステップは、候補セルの少なくとも１つが検出ステップおよび選択または再選択ステップが拡張カバレッジモードを利用することをサポートするか否かを示す保存情報に基づいて、移動局によって、行われる。
【００９２】
開示された実施形態のさらなる利益および利点は、明細書および図面から明らかであろう。利益および／または利点は、明細書および図面で開示されるさまざまな実施形態および特徴によって個々に提供されてもよく、それらの１つまたは複数を取得するためにすべて提供される必要はない。
【図面の簡単な説明】
【００９３】
【図１】図１は、３ＧＰＰ  ＬＴＥシステムの例示的なアーキテクチャを示す。
【図２】図２は、３ＧＰＰ  ＬＴＥの全体的なＥ−ＵＴＲＡＮアーキテクチャの例示的な概観を示す。
【図３】図３は、３ＧＰＰ  ＬＴＥ（リリース８／９）に対して定義されたダウンリンク・コンポーネント・キャリア上の例示的なサブフレーム境界を示す。
【図４】図４は、３ＧＰＰ  ＬＴＥ（リリース８／９）に対して定義されたダウンリンクスロットの例示的なダウンリンク・リソース・グリッドを示す。
【図５】図５は、ダウンリンクに関するアクティブ化されたキャリアアグリゲーションを有する３ＧＰＰ  ＬＴＥ（リリース１０）のレイヤ２構造を示す。
【図６】図６は、アップリンクに関するアクティブ化されたキャリアアグリゲーションを有する３ＧＰＰ  ＬＴＥ（リリース１０）のレイヤ２構造を示す。
【図７】図７は、３ＧＰＰ  ＬＴＥ（リリース１２）で定義されたＲＲＣ＿ＩＤＬＥセル選択および再選択手順を詳述する。
【図８】図８は、例示的な実施形態によるセル選択および再選択手順を示す。
【図９】図９は、同じ例示的な実施形態によるセル選択および再選択手順の流れ図を例示する。
【図１０】図１０は、さらに詳細な例示的な実施形態による別のセル選択および再選択手順を示す。
【図１１】図１１は、セル選択および再選択手順のために保存情報を取得する第１の実施例を例示する。
【図１２】図１２は、セル選択および再選択手順のために保存情報を取得する別の実施例を示す。
【図１３】図１３は、別のさらに詳細な実施形態によるセル選択および再選択手順に対するステートマシンを例示する。
【図１４】図１４は、別のさらに詳細な実施形態によるＲＲＣ＿ＩＤＬＥセル選択および再選択手順を詳述する。
【発明を実施するための形態】
【００９４】
以下に、いくつかの実施形態を詳細に解説する。例示的な目的のためだけに、実施形態の大部分は、上の技術的背景の節で部分的に論じた、３ＧＰＰ  ＬＴＥ（リリース８／９）およびＬＴＥ−Ａ（リリース１０／１１）移動通信システムによる無線アクセス方式に関連して概説される。
【００９５】
本開示は、有利には、例えば、上の技術的背景の節で説明したような３ＧＰＰ  ＬＴＥ−Ａ（リリース１２）通信システムなどの移動通信システムで使用され得ることに留意されたい。
【００９６】
これらの実施形態は、３ＧＰＰ  ＬＴＥおよび／またはＬＴＥ−Ａで指定された機能に関連した使用のための、および／またはこの機能の拡張のための、実装として説明される。この点において、３ＧＰＰ  ＬＴＥおよび／またはＬＴＥ−Ａという専門用語は、説明全体を通して使われる。さらに、本開示の全容を詳述するために例示的な構成が探求される。
【００９７】
解説は、本開示を限定するものとしてではなく、本開示をよりよく理解するための実施形態の単なる一例として解釈されるべきである。当業者は、特許請求の範囲で提示された本開示の一般的原理が異なるシナリオに本明細書で明示的に説明されない方法で適用され得ることに気づくはずである。同様に、さまざまな実施形態の説明的な目的で仮定された以下のシナリオは、開示をそのようなものとして限定するべきではない。
【００９８】
例示的な実施形態は、図８から図１４を参照して説明される。特に、例示的な実施形態は、標準カバレッジモードまたは拡張カバレッジモードの何れかを利用するセル選択および再選択手順に関連している。この点において、セル選択および再選択手順を遂行する、移動局は、標準カバレッジモードおよび拡張カバレッジモードをサポートすると想定される。図面全体を通して、拡張カバレッジモードは影付パターンで示される。
【００９９】
換言すれば、さまざまな実施形態の動作または手順は、拡張カバレッジモードを利用して行われる場合、影付パターン塗りつぶしを含むそれぞれの囲み線（例えば図８、Ｓ０３参照）で例示される。同様に、塗りつぶしのない囲み線は、標準カバレッジモードを利用することを示す。さらに、部分的に影付パターンで塗りつぶされた囲み線（例えば図１４、Ｓ０１参照）は、通常カバレッジモードまたは拡張カバレッジモードの何れかが利用されることを示す。
【０１００】
本開示の文脈で、用語「標準カバレッジモード」は、背景技術の節に関して指定したように、移動局の動作の標準モードを意味する。この点において、移動局の標準カバレッジモードは、例えば、一般に周知の実装に従って、候補セルの検出、およびその後のセル（再）選択を行うことと理解されなければならない。
【０１０１】
さらに、用語「拡張カバレッジモード」は、本開示の文脈で、標準カバレッジモードと異なる移動局の動作のモードを意味する。具体的には、動作の拡張カバレッジモードで、移動局は、背景技術の節で拡張カバレッジモードに対して定義された目的、すなわち移動局のために拡張カバレッジを可能にするという目的を達成するように構成される。
【０１０２】
この点において、本開示の文脈で、「標準カバレッジモード」および「拡張カバレッジモード」は、例えば、候補セルの検出および候補セルの中からのセル選択を行う移動端末の設定に影響を与える。換言すれば、候補セルの検出動作も、選択された候補セルの中からのセル選択または再選択動作も、標準カバレッジモードまたは拡張カバレッジモードを各々利用する。
【０１０３】
しかしながら、上記は、標準カバレッジモードへの、または拡張カバレッジモードへの限定として理解されるべきではない。背景技術の節に関して論じたように、拡張カバレッジモードは、セルによるダウンリンク送信、例えば、異なるサブフレームでの繰返しダウンリンク送信に同様に影響を与え得る。この点において、拡張カバレッジモードは、例えば、セルによる繰返しダウンリンク送信をもたらすとき、移動局によってサポートされるだけでなく基地局によって同様にサポートされる動作のモードとして解釈されなければならない。
【０１０４】
次に、図８および図９に示した実施形態を参照して、移動局によって行われるセル選択またはセル再選択をより詳細に論じる。この文脈で、セル選択またはセル再選択は、少なくとも１つの無線アクセス技術（ＲＡＴ）、例えば、ＧＥＲＡＮ（GSM/EDGE Radio Access Network）、ＵＴＲＡＮ（Universal Terrestrial Radio Access Network）、Ｅ−ＵＴＲＡＮ（Evolved Universal Terrestrial Radio Access Network）、ＣＤＭＡ２０００、ＷｉＭＡＸ、および他の技術に対応する複数のセルの中からなされる。
【０１０５】
この実施形態において、移動局は、標準カバレッジモードおよび拡張カバレッジモードをサポートする。これは、セル選択またはセル再選択が、動作の標準カバレッジモードまたは拡張カバレッジモードの何れかを利用することを意味する。換言すれば、移動局は、複数のセルの中からセル選択および再選択手順を行うとき、標準カバレッジモードまたは拡張カバレッジモードの何れかに設定される。
【０１０６】
セル選択およびセル再選択は、移動局によって行われる２つの異なる手順であるが、どちらの手順も複数のセルの中から１つのセルが選択または再選択されるという結果をもたらす。言うまでもなく、セル選択のために移動局はセルを選択する動作を行い、他方、セル再選択のために移動局はセルを再選択する動作を行う。
【０１０７】
この点において、セル選択およびセル再選択は、異なる状況で移動局によって行われる２つの異なる動作である。セル選択は、現在セルにキャンプしていない（またはアクセスしていない）移動局、または、例えば（ＲＲＣ）接続解放手順またはＲＬＦ（無線リンク障害）の結果として、接続モードから出ている移動局のためのものである。これに対して、セル再選択は、現在セルにキャンプしている（またはアクセスしている）移動局のためのものである。換言すれば、セル選択はセルの中から１つのセルを選択するのに対し、セル再選択はセルの中から潜在的に異なるセルを再選択する。
【０１０８】
セル選択とセル再選択は異なるが、両方とも同じやり方で標準カバレッジモードおよび拡張カバレッジモードを利用するので、実施形態は２つの動作を区別しない。
【０１０９】
複数の候補セルの中からセルを選択または再選択するために、これらの候補セルは移動局によって検出される。候補セル（すなわちセル候補）の検出は、複数のセルの中から、その後選択または再選択され得る、あるいは別の表現で言うと、選択または再選択が成功し得る、候補セルを検出することを意味する。換言すれば、複数のセルの中からの、候補セルでないセルは、移動局によるセルのその後の選択または再選択が成功する見込みのないような特性を有する。
【０１１０】
候補セルの検出のために、移動局が複数のセルの中からその後の選択または再選択に使用され得る候補セルのみを決定するように所定の最低基準を適用することは、この定義に固有のものである。したがって、移動局によって検出される候補セルは、必ずしも複数のセルのすべてではなく所定の基準を満たすセルだけである。
【０１１１】
候補セルの検出は、標準カバレッジモードまたは拡張カバレッジモードの何れかを利用する。したがって、候補セルの検出は、標準カバレッジモードに設定された移動局による検出に関する候補セルの拡張検出を、拡張カバレッジモードに設定された移動局に対して、もたらすことができる。
それから、検出された候補セルの中から、ある１つの（すなわち単一の）セルが移動局によって選択または再選択される。選択または再選択は、その（すなわち単一の）セルにキャンプする（またはアクセスする）ために、移動局によって行われる。
【０１１２】
候補セルのすべてが理論上、成功裏に選択または再選択され得るので、候補セルの中からある１つの（すなわち単一の）セルを選択するために、移動局が候補セルの間に絶対的な順位付けを行うことは、この定義に固有のものである。この点において、移動局は、それ自身セル選択または再選択手順を行わなければならない状況にいると分かった時点で、検出された候補セルの中から（単一の）最良の、絶対的順位を付けられた、セルを選択または再選択する。
【０１１３】
それにもかかわらず、原則として、候補セルは選択または再選択が成功するはずであるように検出されるけれども、第１に検出、そして第２に選択または再選択という、２つの異なる、連続して行われる動作があるという単なる事実により、後者の選択または再選択動作が不成功になることがある。例えば、候補セルの検出に長時間かかる場合、その後の選択または再選択の際に、一部または全部の候補セルはカバレッジ外に移ってしまっていることがある。
【０１１４】
同様に候補セルの中からのセルの選択または再選択は、標準カバレッジモードまたは拡張カバレッジモードの何れかを利用する。したがって、セルの選択または再選択は、標準カバレッジモードでセル選択または再選択が不成功である候補セルの選択を、拡張カバレッジモードに設定された移動局に対して、もたらすことができる。
【０１１５】
有利には、拡張カバレッジモードに設定された移動局は、検出動作および選択または再選択動作が、好ましくない参照信号受信電力（ＲＳＲＰ）値、および／または好ましくない参照信号受信品質（ＲＳＲＱ）値を有するセルに対して行われることを可能にする。さらに、ＲＳＲＰ値および／またはＲＳＲＱ値は、例えば、値が標準カバレッジモードに対するそれぞれの電力／品質閾値を下まわる場合、好ましくないとみなされる。
【０１１６】
特に図８および図９で、実施形態の移動局は、標準カバレッジモードを利用して、候補セルを検出し（ステップＳ０１参照）、その後、標準カバレッジモードを利用して、候補セルの中からセルを選択または再選択する（ステップＳ０２参照）。
【０１１７】
例えば、移動局に対するセルカバレッジに依存して、候補セルの検出動作または候補セルの中からのある１つの（すなわち単一の）セルの選択もしくは再選択動作のうちの何れかが、標準カバレッジモードで不成功となることがある。換言すれば、「セルが見つからない」は、標準カバレッジモードを利用する検出の不成功または選択もしくは再選択の不成功の何れかに起因し得る。
【０１１８】
標準カバレッジモードで、移動局が何もセルの検出に成功しないか、またはセルの選択もしくは再選択に成功しないかの何れかの場合に、その後、移動局は、拡張カバレッジモードを利用して候補セルを検出し（ステップＳ０３参照）、そして次に、同様に拡張カバレッジモードを利用して検出された候補セルの中のある１つの（すなわち単一の）セルを、拡張カバレッジモードを利用して、選択または再選択する（ステップＳ０４参照）。
【０１１９】
この点において、移動局は、たとえ標準カバレッジモードでセル選択および再選択手順を行うことに成功しない場合でも、拡張カバレッジモードでこの手順を行って成功することができる。しかしながら、拡張カバレッジモードにおけるセル選択および再選択手順が同様に不成功である場合、移動局はカバレッジ外状態に進むことができる（ステップＳ０５参照）。
【０１２０】
選択または再選択動作の例示的な実装によれば、移動局は、拡張カバレッジモードを利用するとき、減少された最小必要ＲＸ値（Ｑｒｘｌｅｖｍｉｎ）、および／または減少された最小必要品質レベル（Ｑｑｕａｌｍｉｎ）を含む対応するセル選択基準を、候補セルの各々について評価する。それによって、標準カバレッジ外であり拡張カバレッジモードを利用して検出される候補セルの中からのセルの選択または再選択を確実に成功することができる。
【０１２１】
選択または再選択動作の代替の例示的な実装によれば、移動局は、拡張カバレッジモードを利用するとき、測定されたセルＲＸレベル値および／または測定されたセル品質値に基づいて候補セルの各々を順位付けすることによって、候補セルの中からセルを選択する。したがって、拡張カバレッジモードで、移動局は、背景技術の節に関して説明したように、セル選択基準Ｓを決定する手間を省く。その代わりに、移動局は、検出された候補セルの各々に特有の測定値を比較することによって、セル選択または再選択を行う。
【０１２２】
この実施形態によれば、移動局は、候補セルの検出および検出された候補セルの中からのセルのその後の選択または再選択を、拡張カバレッジモードを利用して行うべきか否かを、保存情報を使用して決定する。
【０１２３】
具体的には、保存情報が、移動局で、前に検出された候補セルの少なくとも１つが拡張カバレッジモードを利用する検出およびその後の選択または再選択をサポートすることを示す場合、そのとき初めて移動局は、それに応じて、拡張カバレッジモードで検出および選択または再選択を行う。
【０１２４】
セルが拡張カバレッジモードをサポートする場合、セルは、拡張カバレッジモードを利用して検出および選択または再選択を行うとき移動局を「サポートする」と理解されるべきである。この点において、保存情報は、同様に、候補セルの少なくとも１つが移動局のその（すなわち同じ）拡張カバレッジモードをサポートするか否かを示す保存情報と表現することができる。
【０１２５】
保存情報の例示的な実装によれば、同じ保存情報は、前に検出された候補セルの中からの、ある１つのセルが拡張カバレッジモードをサポートするという指示を含むだけでなく、物理セル識別子（ＰＣＩ）、ＲＦチャネルの搬送周波数、無線アクセス技術（ＲＡＴ）およびＲＡＴに対応する帯域、ならびに拡張カバレッジＭＴＣ（Machine Type Communication）に対する周波数優先度のうちの少なくとも１つをこのセルについて同様に（すなわち、さらに）含む。
【０１２６】
保存情報の代替の例示的な実装によれば、同じ保存情報は、拡張カバレッジモードのサポートを前に検出された候補セルの各々について示すリストを含み、さらに、物理セル識別子（ＰＣＩ）、ＲＦチャネルの搬送周波数、無線アクセス技術（ＲＡＴ）、ＲＡＴに対応する帯域、および拡張カバレッジＭＴＣ（Machine Type Communication）に対する周波数優先度のうちの少なくとも１つを候補セルの各々について含む。
【０１２７】
周波数優先度は、候補セルの各々に対して優先度を示すことができる。候補セル間のこの優先度は、標準カバレッジモードまたは拡張カバレッジモードの何れかで移動局によって行われる、セル選択または再選択動作で使用され得る。１つの実装によれば、拡張カバレッジモードをサポートする候補セルは、標準カバレッジモードをサポートする候補セルと比較して低い周波数優先度を与えられる。それによって、移動局が、拡張カバレッジモードを利用するのと比較して標準カバレッジモードを利用するセル選択および再選択手順を優先することを確実にすることができる。
【０１２８】
有利には、拡張カバレッジモードは、セルと同様移動局にも電力消費量および周波数利用効率の点で負担が大きいので、保存情報の使用によって、移動局は確実に、候補セルの少なくとも１つが拡張カバレッジモードを同等にサポートするときだけそれぞれの検出および選択または再選択動作を遂行することができる。換言すれば、この保存情報は、移動局において、拡張カバレッジモードが、検出およびその後の選択または再選択動作がセル選択および再選択手順の正常終了の合理的な期待とともに行われる状況においてのみ、利用されるようにすることを可能にする。
【０１２９】
セル選択および再選択手順のより詳細な実施形態が図１０に示される。具体的には、このより詳細な実施形態は、移動局がその後、前の実施形態に関連して論じた選択または再選択動作を行う、候補セルを検出するために行われる検出動作の実装を例証する。
【０１３０】
このより詳細な実施形態によれば、移動局による候補セルの検出は、第１に、ＲＦチャネルの走査および識別の動作、次に、同期信号の検出の動作、そしてその後、システム情報を受信する動作を含む。これらの３つの動作はともに、その中から移動局がその後セルを選択または再選択する、候補セルを提供する。
【０１３１】
しかしながら、移動局によって行われるこれらの３つの動作がただインプランテーションを例証するだけであって、本開示への限定として解釈され得ないことは、強調されるべきである。
【０１３２】
このより詳細な実施形態において、移動局によって行われる、第１に、ＲＦチャネルの走査および識別の動作、次に、同期信号を検出する動作、そしてその後に、システム情報を受信する動作のひとつひとつは、標準カバレッジモードまたは拡張カバレッジモードの何れかを利用することができる。
【０１３３】
第１に、移動局は、少なくとも１つのＲＡＴに対応する帯域で、ＲＦチャネルを走査し識別する（ステップＳ０１−１、またはＳ０３−１参照）。この点において、帯域に対して、移動局は、各々セルに対応するＲＦチャネルを識別する。移動局が多数のＲＡＴをサポートする場合、移動局は、例えば、ロースキャンまたはファインスキャン動作に従って、ＲＦチャネルを走査および識別するステップを複数のＲＡＴに対応する帯域で行う。
【０１３４】
より詳細には、ＲＦチャネルがセルに対応するか否かを、移動局によって識別するために、移動局は、例示的に、ＲＦチャネルの受信電力（例えばＲＳＲＰ）を電力閾値と比較する。電力閾値は、移動局および／またはＲＡＴに対して前もって決定されてもよく、他の移動局および／またはＲＡＴに対する電力閾値と異なってもよい。走査されたＲＦチャネルの受信電力が電力閾値を下まわらなければ、移動局は、それぞれのＲＦチャネルをセルとして識別し、その後、そのセルに関して同期信号の検出動作を行う。
【０１３５】
移動局による、ＲＦチャネルの走査および識別は、標準カバレッジモードまたは拡張カバレッジモードの何れかを利用する。標準カバレッジモードでは、ＲＦチャネルの走査および識別は、拡張カバレッジモードの場合と比較してうまくいかないことがある。換言すれば、拡張カバレッジモードにおける移動局は、セルに対応するＲＦチャネルを、拡張カバレッジを用いてより良好に識別することができる。
【０１３６】
例示的に、拡張カバレッジモードを利用するＲＦチャネルの走査および識別動作は、移動局が、拡張カバレッジモードを利用するとき、改善された（すなわちより良好な）受信感度で走査動作を行うことで、標準カバレッジモードを利用するＲＦチャネルの走査および識別動作と異なる。改善された受信感度での走査および識別動作は、移動局が、例えば、より低い信号対雑音比（ＳＮＲ）を補償することを可能にする。
【０１３７】
有利には、拡張カバレッジモードに設定された移動局は、−とりわけ−参照信号受信電力（ＲＳＲＰ）値が標準カバレッジモードに対して設定された電力閾値より低いセルをセル候補として、検出することが可能になる。
【０１３８】
それから、移動局は、走査および識別されたＲＦチャネルを通して送信された同期信号を検出する（ステップＳ０１−２、またはＳ０３−２参照）。同期信号は、セルの識別およびセルのダウンリンク送信との同期を可能にする。換言すれば、走査および識別されたＲＦチャネルの各々に対する同期信号の検出に基づいて、移動局は、それぞれのセルを識別しそれぞれのセルと同期することが可能である。
【０１３９】
より具体的には、セルによるダウンリンク送信と移動局の同期は、移動局が例えば報知情報を受信することを可能にする。この報知情報は、それぞれのセルがセル選択または再選択のための候補セルとみなされ得るか否かを識別する、それぞれのセルのシステム情報を含み得る。この点において、同期信号の検出は、前の実施形態の候補セルの検出動作に含まれる、さらなる動作である。
【０１４０】
移動局による、同期信号の検出は、標準カバレッジモードまたは拡張カバレッジモードの何れかを利用する。標準カバレッジモードでは、同期信号の検出は、拡張カバレッジモードの場合と比較してうまくいかないことがある。換言すれば、拡張カバレッジモードにおける移動局は、セルの識別の改善を可能にする同期信号を、拡張カバレッジを用いてより良好に検出することができる。
【０１４１】
例示的に、拡張カバレッジモードを利用する同期信号の検出動作は、移動局が、拡張カバレッジモードを利用するとき、拡張された平均化窓を用いて同期信号を検出することで、標準カバレッジモードを利用する同期信号の検出動作と異なる。拡張された平均化窓を用いた検出動作は、移動局が、例えば、より低い信号対雑音比（ＳＮＲ）を補償することを可能にする。
【０１４２】
有利には、拡張カバレッジモードに設定された移動局は、−とりわけ−参照信号受信電力（ＲＳＲＰ）値が標準カバレッジモードに対して設定された電力閾値より低いセルをセル候補として、検出することが可能になる。
【０１４３】
その後、移動局は、同期信号が検出されるセルの各々からシステム情報を受信する（ステップＳ０１−３、またはＳ０３−３参照）。システム情報は、移動局がそれぞれのセルにアクセスし、セルが選択または再選択動作のための候補セルであるか否かを検出することを可能にする。換言すれば、同期信号が検出されるセルの各々に対するシステム情報の受信に基づいて、移動局は、その後のセル選択または再選択のための候補セルを検出する。
【０１４４】
より具体的には、移動局によって受信されるシステム情報は、例えば、マスタ情報ブロック（ＭＩＢ）、およびシステム情報ブロック（ＳＩＢ）を含む。ＭＩＢ、およびＳＩＢの両方に含まれるシステム情報は、背景技術の節に関して論じられている。有利には、各々のセルは、報知情報としてシステム情報を送信し、それによって、すなわちセルの同期信号の検出に成功した上で、移動局が同じ情報を受信することを可能にする。
【０１４５】
移動局による、システム情報の受信は、標準カバレッジモードまたは拡張カバレッジモードの何れかを利用する。標準カバレッジモードでは、システム情報の受信は、拡張カバレッジモードの場合と比較してうまくいかないことがある。換言すれば、拡張カバレッジモードにおける移動局は、候補セルの検出の改善を可能にするシステム情報を、拡張カバレッジを用いてより良好に受信することができる。
【０１４６】
例示的に、拡張カバレッジモードを利用するシステム情報の受信動作は、移動局が、拡張カバレッジモードを利用するとき、同じシステム情報の繰返し送信を受信し、その後それらを結合することで、標準カバレッジモードを利用するシステム情報の受信動作と異なる。同じシステム情報の繰返し送信の結合は、移動局が、例えば、より低い信号対雑音比（ＳＮＲ）を補償することを可能にする。繰返し送信を結合するステップは、ソフト結合技術によって実装され得る。
【０１４７】
有利には、拡張カバレッジモードに設定された移動局は、−とりわけ−基準単一受信電力（ＲＳＲＰ）値が標準カバレッジモードに対して設定された電力閾値より低いセルをセル候補として、検出することが可能になる。
【０１４８】
したがって、このより詳細な実施形態による、第１に、ＲＦチャネルの走査および識別の動作、次に、同期信号の検出動作、そしてその後、システム情報を受信する動作は、移動局が後にその中からセルを選択または再選択する候補セルの、移動局による検出を同様にもたらす。セルの選択または再選択（ステップＳ０２またはＳ０４参照）については、図８および図９に関連して説明されたそれぞれの前の実施形態を参照されたい。
【０１４９】
それでも、第１に、ＲＦチャンネルの走査および識別、次に、同期信号の検出、そしてその後、システム情報の受信の形での候補セルの検出、ならびに検出された候補セルの中からのセルのその後の選択または再選択を、拡張カバレッジモードを利用して行うべきか否かを決定するために、移動局が保存情報にアクセスすることは、このより詳細な実施形態に対して同様に指摘されるべきである。
【０１５０】
具体的には、保存情報が、移動局で、前に検出された候補セルの少なくとも１つが拡張カバレッジモードを利用する検出およびその後の選択または再選択をサポートすることを示す場合、そのとき初めて移動局は、それに応じて、拡張カバレッジモードで検出および選択または再選択を行う。
【０１５１】
有利には、拡張カバレッジモードはセルと同様移動局にも電力消費量および周波数利用効率の点で負担が大きいので、保存情報の使用によって、移動局は確実に、候補セルの少なくとも１つが拡張カバレッジモードを同等にサポートするときだけそれぞれの検出および選択または再選択動作を遂行することができる。
【０１５２】
別のより詳細な実施形態の第１の実施例
セル選択および再選択手順の別のより詳細な実施形態の第１の実施例が図１１に示される。具体的には、このより詳細な実施形態は、後の時点で候補セルの検出および検出された候補セルの中からのセルのその後の選択または再選択を、拡張カバレッジモードを利用して行うべきか否かを、保存情報を使用して決定することができるように、保存情報が移動局によってどのように取得されるかを例証する。
【０１５３】
この実施例にさらに付け加えると、移動局は、セルにキャンプしている（またはアクセスしている）と想定される。この点において、セルにキャンプしている（またはアクセスしている）とき移動局が標準カバレッジモードに設定されるかまたは拡張カバレッジモードに設定されるか否かは、しかしながら、重要ではない。さらに、移動局がセル内でアップリンクおよびダウンリンク通信のために設定されることが重要なだけである。
【０１５４】
この文脈で、移動局は、選択されたセルに、候補セルの少なくとも１つが検出動作および選択または再選択動作が拡張カバレッジモードを利用することをサポートするか否かを示す情報を送信するように要求する（ステップＳ０１参照）。移動局が情報を要求する、選択されたセルは、移動局がキャンプしている（またはアクセスしている）セルとすることができる。
【０１５５】
要求に応じて、移動局は、その後、候補セルの少なくとも１つが検出動作および選択または再選択動作が拡張カバレッジモードを利用することをサポートするか否かを示す情報を受信する（ステップＳ０２参照）。情報は、移動局が、例えば専用制御メッセージで、情報を要求する、選択されたセルによって送信される。
【０１５６】
移動局は、情報を受信すると、後の時点で候補セルの検出動作および検出された候補セルの中からのセルのその後の選択または再選択動作を、拡張カバレッジモードを利用して行うべきか否かを、新しく保存された情報を使用して決定する（ステップＳ０３参照）ために、（前に保存された情報を補足、更新または置換することによって）受信情報を保存する。
【０１５７】
例示的な実装において、移動局は、前に検出された候補セルの少なくとも１つが拡張カバレッジモードを利用している移動局をサポートするか否かを示す情報を受信するために、この前に検出された候補セルを、要求の中に含む。
【０１５８】
代替の実装によれば、移動局は、候補セルが少なくとも、移動局がキャンプしている選択されたセルに隣接するセル（すなわち隣接セル）を含むと想定する。したがって、移動局は、要求に以前検出された候補セルについての任意の情報を含めることを省く。この点において、移動局は、選択されたセルに、その隣接セルの少なくとも１つが拡張カバレッジモードをサポートするか否かを示す情報を送信するように要求する。
【０１５９】
選択されたセルの隣接セルは、移動局の候補セルのサブセットを形成するので、選択されたセルおよびその隣接セルのうちの少なくとも１つが拡張カバレッジモードをサポートするか否かを示す情報は、移動局が、後の時点で候補セルの検出および検出された候補セルの中からのセルのその後の選択または再選択を、拡張カバレッジモードを利用して行うべきか否かを決定することを同様に可能にする。
【０１６０】
言うまでもなく、移動局によって受信される保存情報は、候補セルが拡張カバレッジモードをサポートするという指示を含み得るだけでなく、物理セル識別子（ＰＣＩ）、ＲＦチャネルの搬送周波数、無線アクセス技術（ＲＡＴ）およびＲＡＴに対応する帯域、ならびに拡張カバレッジＭＴＣ（Machine Type Communication）に対する周波数優先度のうちの少なくとも１つをこの候補セルに対して同様に（すなわち、さらに）含み得る。
【０１６１】
別のより詳細な実施形態の第２の実施例
セル選択および再選択手順の別のより詳細な実施形態の第２の実施例が図１２に示される。具体的には、このより詳細な実施形態は、後の時点で候補セルの検出および検出された候補セルの中からのセルのその後の選択または再選択を、拡張カバレッジモードを利用して行うべきか否かを、保存情報を使用して決定することができるように、保存情報が移動局によってどのように取得されるかを例証する。
【０１６２】
この実施例にさらに付け加えると、移動局は、セルにキャンプしている（またはアクセスしている）と想定される。この点において、セルにキャンプしている（またはアクセスしている）とき移動局が標準カバレッジモードに設定されるかまたは拡張カバレッジモードに設定されるか否かは、しかしながら、重要ではない。さらに、移動局がセル内でダウンリンク通信（例えば報知情報を受信すること）のために設定されることが重要なだけである。
【０１６３】
この文脈で、移動局は、候補セルの少なくとも１つが検出動作および選択または再選択動作が拡張カバレッジモードを利用することをサポートするか否かを示す情報を報知情報として受信する（ステップＳ０１参照）。情報は、選択されたセルによって、例えば、選択されたセルによって送信されるシステム情報に含まれるものとして、報知される。
【０１６４】
移動局は、情報を受信すると、後の時点で候補セルの検出動作および検出された候補セルの中からのセルのその後の選択または再選択動作を、拡張カバレッジモードを利用して行うべきか否かを、新しく保存された情報を使用して決定する（ステップＳ０２参照）ために、（前に保存された情報を補足、更新または置換することによって）受信情報を保存する。
【０１６５】
例示的な実装において、移動局は、選択されたセルおよびその隣接セルのうちの少なくとも１つが拡張カバレッジモードをサポートするか否かを示す情報を選択されたセルから受信する。しかしながら、選択されたセルの隣接セルは、少なくとも移動局の候補セルのサブセットを形成するので、選択されたセルの隣接セルの少なくとも１つが拡張カバレッジモードをサポートするか否かを示す情報は、移動局が、後の時点で候補セルの検出および検出された候補セルの中からのセルのその後の選択または再選択を、拡張カバレッジモードを利用して行うべきか否かを決定することを同様に可能にする。
【０１６６】
言うまでもなく、この実施例においても、移動局によって受信される保存情報は、候補セルが拡張カバレッジモードをサポートするという指示を含み得るだけでなく、物理セル識別子（ＰＣＩ）、ＲＦチャネルの搬送周波数、無線アクセス技術（ＲＡＴ）およびＲＡＴに対応する帯域、ならびに拡張カバレッジＭＴＣ（Machine Type Communication）に対する周波数優先度のうちの少なくとも１つをこの候補セルに対して同様に（すなわち、さらに）含み得る。
【０１６７】
別のより詳細な実施形態の第３の実施例
セル選択および再選択手順の別のより詳細な実施形態の第３の実施例は、後の時点で候補セルの検出および検出された候補セルの中からのセルのその後の選択または再選択を、拡張カバレッジモードを利用して行うべきか否かを、保存情報を使用して決定することができるように、保存情報が移動局によってどのように取得されるかを例証する。
【０１６８】
この実施例にさらに付け加えると、移動局は、セルのために走査および識別されたＲＦチャネルに対する同期信号を成功裏に検出していると想定される。しかしながら、移動局がセルのシステム情報を成功裏に受信していることは必要ではない。セルによって検出される同期信号は、移動局がセルを識別しセルによるダウンリンク送信と同期することをすでに可能にする。
【０１６９】
この文脈で、移動局は、セル上の事前定義された数のダウンリンク送信を受信および結合することによって、このセルが拡張カバレッジモードを利用する検出ステップおよび選択ステップをサポートするか否かを識別する。さらに、移動局は、セルによるダウンリンク送信のためにセルが拡張カバレッジモードを使用するか否かから、セルが拡張カバレッジモードをサポートするか否かを推測する。
【０１７０】
具体的には、移動局は、セル上の事前定義された数の送信を受信および結合し、それに応じて、受信および結合された送信が同じトランスポートブロックに対応するか否かに基づいて、セルが拡張カバレッジモードを利用する検出ステップおよび選択または再選択ステップをサポートするか否かを示す情報を決定し保存する。
【０１７１】
この実施例の例示的な実装によれば、同じトランスポートブロックに対応する、セル上の事前定義された数の送信は、システムフレーム番号（ＳＦＮ）０、８、１６、および２４における物理ダウンリンク制御チャネル（ＰＤＣＣＨ）送信、ならびに／またはＳＦＮ３２、４０、４８、および５６における物理ダウリンク共有チャネル（ＰＤＳＣＨ）送信までである。この例示的な実装のＳＦＮは、しかしながら、ただ実施例として理解されるべきであり、移動局によって行われる決定を限定すると解釈されるべきではない。
【０１７２】
移動局は、その後の時点で、候補セルの検出動作および検出された候補セルの中からのセルのその後の選択または再選択動作を、拡張カバレッジモードを利用して行うべきか否かを、この新しく保存された情報を使用して決定する。
【０１７３】
選択および再選択手順の別のより詳細な実施形態が図１３に示される。このより詳細な実施形態は、移動局が標準カバレッジモードで選択されたセルにキャンプしている（またはアクセスする）状態と、移動局が拡張カバレッジモードで選択されたセルにキャンプしている（またはアクセスする）状態との間の状態遷移を例証する。この文脈で、モバイルがセルにキャンプしている（またはアクセスする）状態のうちの何れかが本開示の選択および再選択手順から生じることは、強調されるべきである。換言すれば、セルの選択または再選択は、選択または再選択動作が成功した場合、移動局が同じセルにキャンプする（またはアクセスする）という結果をもたらす。
【０１７４】
通常、移動局は、標準カバレッジモード（短縮形：標準モード）を利用してセル選択および再選択手順を行い始めるように設定される。したがって、移動局は、さまざまな上記の実施形態で説明したように、標準カバレッジモードを利用して、候補セルを検出する動作を最初に行い、そしてその後、検出された候補セルからセルを選択または再選択する動作を行う。
【０１７５】
少なくとも１つの候補セルを成功裏に検出し、検出された候補セルの中から「適当な」セルを成功裏に選択または再選択した場合、移動局は、標準カバレッジモードで「適当な」セルにキャンプする（またはアクセスする）と表現される。さらに、本開示の文脈で、セルは、このセルへの選択または再選択動作が成功しているとき「適当である」とみなされることになっている。
【０１７６】
標準カバレッジモードで、失敗して候補セルを検出しなかったか、または失敗して前に（すなわち成功裏に）検出した候補セルの中からセルを選択または再選択しなかった場合、移動局は、標準カバレッジモードでキャンプする（またはアクセスする）ための「適当な」セルを何も見つけていない（短縮形：「セルが見つからない」）。この状況で、移動局は、セル選択および再選択手順を、拡張カバレッジモードを利用して行うべきか否かを、保存情報を使用して決定する。
【０１７７】
具体的には、保存情報が、候補セルの少なくとも１つが拡張カバレッジモードを利用する検出動作および選択または再選択動作をサポートすることを示す場合、移動局は、拡張カバレッジモード（短縮形：ＥＣモード）を利用してセル選択および再選択手順を行うように設定される。さらに、保存情報が、候補セルのどれひとつとして拡張カバレッジモードを利用する検出動作および選択または再選択動作をサポートしないことを示す場合、移動局は、カバレッジ外状態にすぐに進むように設定される。
【０１７８】
したがって、保存情報が、候補セルの少なくとも１つが拡張カバレッジモードをサポートすることを示す場合、移動局は、さまざまな上記の実施形態で説明したように、拡張カバレッジモードを利用して、候補セルを検出する動作を最初に行い、そしてその後、検出された候補セルからセルを選択または再選択する動作を行う。
【０１７９】
少なくとも１つの候補セルを成功裏に検出し、検出された候補セルの中から「適当な」セルを成功裏に選択または再選択した場合、移動局は、拡張カバレッジモードで「適当な」セルにキャンプする（またはアクセスする）と表現される（短縮形：ＥＣモードでキャンプ）。
【０１８０】
標準カバレッジモードで、失敗して候補セルを検出しなかったか、または失敗して前に（すなわち成功裏に）検出した候補セルの中からセルを選択または再選択しなかった場合、移動局は、標準カバレッジモードでキャンプする（またはアクセスする）ための「適当な」セルを何も見つけていない（短縮形：「セルが見つからない」）。この状況で、移動局は、セル選択および再選択手順を、拡張カバレッジモードを利用して行うべきか否かを、保存情報を使用して決定する。
【０１８１】
さまざまな条件は、移動局が標準カバレッジモードまたは拡張カバレッジモードでセルにキャンプしているとき選択または再選択手順を再開することをトリガし得る。どちらの場合も移動局は、第１に標準カバレッジモードで、そして第２に拡張カバレッジモードで、説明した動作を続行することになる。
【０１８２】
例示的に、選択または再選択手順をトリガする条件は、例えば（ＲＲＣ）接続解放手順またはＲＬＦ（無線リンク障害）の結果として接続モードから出ることだけでなく、参照信号受信電力（ＲＳＲＰ）値、および／または好ましくない参照信号受信品質（ＲＳＲＱ）測定値への改善を含む。
【０１８３】
さらに重要なことには、移動局は同様に、拡張カバレッジモードを利用してセル選択および再選択手順を行い始めるように設定され得る（短縮形：非標準モードセル選択）。この目的のために、保存情報は、例えば、拡張カバレッジモードを利用する検出動作および選択または再選択動作をサポートする候補セルのみを示す。
【０１８４】
この点において、保存情報が、拡張カバレッジモードを利用する検出動作および選択または再選択動作をサポートする候補セルのみを示す場合、移動局は、標準カバレッジモードを利用して検出動作も選択または再選択動作も行わないように設定される。
【０１８５】
例えば、移動局の用途（またはユースケース）に応じて、拡張カバレッジモードのみを利用するように検出動作および選択または再選択動作を制限することは合理的であり得る。この状況で、移動局は、移動局に接続されることになっている加入者識別モジュール（ＳＩＭ）、または汎用加入者識別モジュール（ＵＳＩＭ）の中の、拡張カバレッジモードをサポートする候補セルのみを示す保存情報で事前設定され得る。
【０１８６】
選択および再選択手順の別のより詳細な実施形態が図１４に示される。このより詳細な実施形態は、従来知られているＲＲＣアイドル状態での選択および再選択手順との拡張カバレッジモードの後方互換性を示す。このより詳細な実施形態において、移動局は、その「保存情報」が、拡張カバレッジ（ＥＣ）モードセルだけが利用可能であり標準カバレッジモードでのセル選択および再選択手順が不成功であったことを示さない限り、標準カバレッジモードでキャンプしようとする。
【０１８７】
図に示されるように、上半分のセル選択または再選択手順、すなわち上半分（すなわち「任意セル選択」と題された囲み線の上）の部分的に影付の囲み線は、移動局が、標準カバレッジモードを利用してまたは拡張カバレッジモードを利用しての何れかで、セルにキャンプする可能性を示す。
【０１８８】
例えば、「保存情報セル選択」と題されたセル選択および再選択手順（ステップＳ０４参照）は、すべての候補セルがただ拡張カバレッジモードをサポートするだけであることを示してもよく、または、候補セルが、標準カバレッジモードをサポートする少なくとも１つのセルを同様に含むことを示してもよい。後者の場合、移動局は、最初に標準カバレッジモードをサポートするセルにキャンプしようとするためにセル選択および再選択手順を行う。
【０１８９】
同様に、「初期セル選択」と題されたセル選択および再選択手順（ステップＳ０１参照）は、標準カバレッジモードをサポートするセルが標準カバレッジモードを利用するセル選択および再選択手順で成功裏に選択される場合、移動局が標準カバレッジモードをサポートするセルにキャンプするという結果をもたらすことができ、標準カバレッジモードを利用するセル選択および再選択手順で成功裏に選択されるセルがないとき、移動局が拡張カバレッジ（ＥＣ）モードをサポートするセルにキャンプするという結果をもたらすことができる。
【０１９０】
図の下半分は、（図１４に示されない）受容可能セルさえ利用可能でないとき、「任意セル選択」状態からのキャンプを示す。興味深いことに、移動局は、次のどちらのときでも、任意セル選択に到達し得る。
【０１９１】
セル選択基準が背景技術の節で定義されたように満たされるけれども、前記セルは、例えば選択されたＰＬＭＮ（Public Land Mobile Network）、登録されたＰＬＭＮまたは等価なＰＬＭＮリストのいずれにも属さないので、適当なセルでないとき、または、
どの可能性のある利用可能なセルも標準カバレッジ外の方法でありおよび／または重度の減衰を受けているので、セル検出それ自体ができないときである。
【０１９２】
この意味で、図１４の拡張カバレッジ（ＥＣ）モード部分（下半分）は、受容可能セルキャンプ状態を置換しておらず、むしろ、標準カバレジモードのセルも受容可能セルも見つけられないとき、受容可能セルキャンプ状態と同様に動作する。
【０１９３】
さらに、この実施形態に関連して、ステップＳ０１、Ｓ０２およびＳ０４のセル選択および再選択手順が標準カバレッジモードまたは拡張カバレッジモードの何れかを同等に利用すること、および、「適当な」セルが成功裏に選択または再選択される場合、移動局は、標準カバレッジモードまたは拡張カバレッジモードのそれぞれを使用して同じ「適当な」セルにキャンプすることが明らかになる。
【０１９４】
さらに、この実施形態において、拡張カバレッジモードは、ただ「任意セル選択」状態に接続されたセル選択および再選択手順Ｓ０５およびＳ０６に対して利用されるべきである。「任意セル選択状態」で、移動局は、ＵＥによってサポートされるすべてのＲＡＴを試し、拡張カバレッジモードを利用して高品質セルを最初に探索して、キャンプするべき任意のＰＬＭＮの受容可能セルを見つけようと試みる。
【０１９５】
換言すれば、移動局は、「適当な」または「受容可能」セルが見つからないとき、拡張カバレッジモードを利用してキャンプするべきセルを見つけようとする。現在の文脈で、「受容可能」セルは、良好な無線信号品質を有するが権限の問題がある（例えばマイＰＬＭＮリストの一部でない）セルである。より具体的には、受容可能セルは３ＧＰＰ  ＴＳ  ３６．３０４の第４．３章で定義されている。特別な実施例として、受容可能セルは、セル選択または再選択要件を満たすが、
−選択されたＰＬＭＮ、または
−登録されたＰＬＭＮ、または
−等価なＰＬＭＮリストのＰＬＭＮ
のいずれの一部でもない。
【０１９６】
しかしながら、受容可能セルに対しても、背景技術の節で論じたセル選択基準は実行される。したがって、拡張されたカバレッジでの移動局は、「受容可能な」形でセルを検出／セルにキャンプさえしないことになり、それで移動局は拡張カバレッジモードカバレッジを試さなければならない。
【０１９７】
別の実施形態は、ハードウェアおよびソフトウェア、またはハードウェアのみを使用する、上述のさまざまな実施形態の実装に関連している。これに関連して本開示はユーザ機器（移動局）およびマスタおよびセカンダリｅＮｏｄｅＢ（基地局）を提供する。ユーザ機器および基地局は、本明細書で説明した方法を行うように適合される。
【０１９８】
本開示のさまざまな実施形態がコンピューティングデバイス（プロセッサ）を使用して実装または実行され得ることは、さらに認識される。コンピューティングデバイスまたはプロセッサは、例えば、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）または他のプログラム可能なロジックデバイスなどとすることができる。加えるに、無線送信機および無線受信器ならびに他の必要なハードウェアは、装置（ＵＥ、ＭｅＮＢ、ＳｅＮＢ）の中に備えることができる。本開示のさまざまな実施形態は、これらのデバイスの組合せによって行うことができ、または具現化することができる。
【０１９９】
さらに、本開示のさまざまな実施形態は、プロセッサによってまたはハードウェアで直接実行される、ソフトウェアモジュールを用いて同様に実装することができる。同様にソフトウェアモジュールとハードウェア実装の組合せを可能とすることができる。ソフトウェアモジュールは、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどの、任意の種類のコンピュータ可読記憶媒体上に格納され得る。
【０２００】
本開示の異なる実施形態の個別の特徴は、個別にまたは任意の組合せで、別の本開示の主題とすることができることにさらに留意されたい。
【０２０１】
総括的に説明された本開示の趣旨または範囲から逸脱することなく、特定の実施形態で示されたように、本開示に多数の変形形態および／または修正形態がなされ得ることは、当業者に理解されよう。本実施形態はしたがって、あらゆる点で、例示的なものであって制限するものではないとみなされるべきである。
【図１】
2019146271.tif 000004
【図２】
2019146271.tif 000005
【図３】
2019146271.tif 000006
【図４】
2019146271.tif 000007
【図５】
2019146271.tif 000008
【図６】
2019146271.tif 000009
【図７】
2019146271.tif 000010
【図８】
2019146271.tif 000011
【図９】
2019146271.tif 000012
【図１０】
2019146271.tif 000013
【図１１】
2019146271.tif 000014
【図１２】
2019146271.tif 000015
【図１３】
2019146271.tif 000016
【図１４】
2019146271.tif 000017